(57)【要約】【課題】高品位画像を可能にする事。【解決手段】電気光学装置２０は、走査線２２と、信号線２３と、画素２１と、走査線２２と信号線２３とに駆動信号を供給する駆動部５０とを備え、信号線２３は、ｋ個の信号線群に分類され（ｋは２以上の整数）、駆動部５０は、信号線２３にプリチャージ信号ＶＰＲＣを供給するプリチャージ回路５３１と、信号線２３に画像信号を供給する画像信号回路５３２と、を含み、画像信号回路５３２はｋ本の画像系列線とｋ種類のスイッチＳＷとを含み、プリチャージ回路５３１はｋ本のプリチャージ系列線とｋ種類のプリチャージスイッチＰＳとを含む。斯うすると、クロストークが抑制されると共に、プリチャージ動作の回数が減少するので、消費電力も削減される。それに伴い、発熱量も少なくなるので、電気光学装置２０の動作安定性も改善される。【選択図】図４
2018106200.tif 000002
【特許請求の範囲】
【請求項１】
複数の走査線と、複数の信号線と、前記複数の走査線と前記複数の信号線との各交差に対応して配置された画素と、前記複数の走査線と前記複数の信号線とに駆動信号を供給する駆動部とを備えた電気光学装置であって、
前記複数の信号線は、ｋ個の信号線群に分類され（ｋは２以上の整数）、
前記駆動部は、前記複数の信号線にプリチャージ信号を供給するプリチャージ回路と、前記複数の信号線に画像信号を供給する画像信号回路と、を含み、
前記画像信号回路はｋ本の画像系列線とｋ種類のスイッチとを含み、
前記プリチャージ回路はｋ本のプリチャージ系列線とｋ種類のプリチャージスイッチとを含む事を特徴とする電気光学装置。
【請求項２】
複数の走査線と、複数の信号線と、前記複数の走査線と前記複数の信号線との各交差に対応して配置された画素と、前記複数の走査線と前記複数の信号線とに駆動信号を供給する駆動部とを備えた電気光学装置であって、
前記複数の信号線は、ｋ個の信号線群に分類され（ｋは２以上の整数）、
前記複数の信号線にプリチャージ信号を供給するプリチャージ回路と、前記複数の信号線に画像信号を供給する画像信号回路と、を含み、
前記画像信号回路はｋ本の画像系列線とｋ種類のスイッチとを含み、
前記プリチャージ回路はｋ本の正プリチャージ系列線とｋ種類の正プリチャージスイッチとｋ本の負プリチャージ系列線とｋ種類の負プリチャージスイッチとを含む事を特徴とする電気光学装置。
【請求項３】
前記駆動部は、
水平走査期間において、前記ｋ個の信号線群に画像信号を供給する場合、前記ｋ個の信号線群の一部にプリチャージ信号を供給した後に前記画像信号を供給し、前記ｋ個の信号線群の残りに前記プリチャージ信号を供給しないで前記画像信号を供給する事を特徴とする請求項１又は２に記載の電気光学装置。
【請求項４】
前記駆動部は、
第１の水平走査期間に、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１の水平走査期間に続く第２の水平走査期間に、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１の水平走査期間と前記第２の水平走査期間とで、前記プリチャージ信号が供給される信号線が異なっている事を特徴とする請求項１乃至３のいずれか一項に記載の電気光学装置。
【請求項５】
垂直走査期間は、少なくとも第１から第ｋの水平走査期間を含み、
前記駆動部は、
前記第１から第ｋの水平走査期間の各々で、前記ｋ個の信号線群の一部に前記プリチャージ信号を供給した後に前記画像信号を供給し、前記ｋ個の信号線群の残りに前記プリチャージ信号を供給しないで前記画像信号を供給し、
前記第１から第ｋの水平走査期間で前記ｋ個の信号線群の総てに前記プリチャージ信号を供給する事を特徴とする請求項１乃至４のいずれか一項に記載の電気光学装置。
【請求項６】
前記垂直走査期間に、前記ｋ個の信号線群の総てに前記プリチャージ信号を供給しないで前記画像信号を供給する水平走査期間が含まれる事を特徴とする請求項５に記載の電気光学装置。
【請求項７】
前記駆動部は、前記垂直走査期間において、前記ｋ個の信号線群の各々に、複数回のプリチャージ信号を供給し、
ある信号線群に対してあるプリチャージ信号が供給された後に次のプリチャージ信号が供給される迄の期間が３２水平走査期間以下である事を特徴とする請求項５又は６に記載の電気光学装置。
【請求項８】
請求項１乃至７のいずれか一項に記載の電気光学装置を備えた事を特徴とする電子機器。
【請求項９】
複数の走査線と、複数の信号線と、前記複数の走査線と前記複数の信号線との各交差に対応して配置された画素と、を備えた電気光学装置の駆動方法であって、
前記複数の信号線は、ｋ個の信号線群に分類され（ｋは２以上の整数）、
垂直走査期間は少なくとも第１の水平走査期間を含み、
前記第１の水平走査期間では、前記ｋ個の信号線群の一部にプリチャージ信号が供給されている期間に、前記ｋ個の信号線群の他の一部に画像信号が供給される事を特徴とする電気光学装置の駆動方法。
【請求項１０】
前記垂直走査期間は更に第２の水平走査期間を含み、
前記第２の水平走査期間では、前記ｋ個の信号線群の一部に前記プリチャージ信号が供給されている期間に、前記ｋ個の信号線群の他の一部に前記画像信号が供給され、
前記第１の水平走査期間と前記第２の水平走査期間とで、前記プリチャージ信号が供給される信号線が異なっている事を特徴とする請求項９に記載の電気光学装置の駆動方法。
【請求項１１】
複数の走査線と、複数の信号線と、前記複数の走査線と前記複数の信号線との各交差に対応して配置された画素と、を備えた電気光学装置の駆動方法であって、
前記複数の信号線は、ｋ個の信号線群に分類され（ｋは２以上の整数）、
垂直走査期間は少なくとも第１の水平走査期間から第ｋの水平走査期間迄のｋ個の水平走査期間を含み、
前記ｋ個の水平走査期間の各々で、前記ｋ個の信号線群の一部にプリチャージ信号が供給されている期間に、前記ｋ個の信号線群の他の一部に画像信号が供給され、
前記第１の水平走査期間から前記第ｋの水平走査期間迄の期間に前記ｋ個の信号線群の総てに前記プリチャージ信号が同じ回数供給される事を特徴とする電気光学装置の駆動方法。
【請求項１２】
請求項９乃至１１のいずれか一項に記載の電気光学装置の駆動方法により駆動される事を特徴とする電気光学装置。
【請求項１３】
請求項１２に記載の電気光学装置を備えた事を特徴とする電子機器。
【発明の詳細な説明】
【技術分野】
【０００１】
本発明は、電気光学装置、電気光学装置の駆動方法、及び電子機器に関する。
【背景技術】
【０００２】
表示機能が付いた電子機器では、透過型電気光学装置や反射型電気光学装置が使用されている。これらの電気光学装置に光が照射され、電気光学装置により変調された透過光や反射光が表示画像となったり、或いはスクリーンに投影されて投射画像となったりしている。この様な電子機器に使用される電気光学装置としては液晶装置が知られており、これは液晶の誘電異方性と液晶層に於ける光の旋光性とを利用して画像を形成する物である。液晶装置では、画像表示領域に走査線と信号線とが配置されて、これらの交点に画素が行列状に配置されている。画素には画素トランジスターが設けられ、画素トランジスターを介して各画素に画像信号を供給する事で画像が形成される。
【０００３】
電気光学装置や、電気光学装置を用いた電子機器にて、表示品質の高い映像を得る方法としては、例えば特許文献１に記載されている。図１５は、特許文献１に記載されている駆動方法を説明するタイミングチャートである。図１５に示される様に、特許文献１では、全ての信号線に対して１水平走査期間に１回のプリチャージ動作が実施されている。プリチャージ動作は各画素への画像信号の書き込みに先行して実施され、その電圧は書き込み極性に応じて適時設定されている。このプリチャージ動作により、画素トランジスターの光リーク電流に起因する縦クロストークが抑制され、それ故に高品質の画像が表示される。この方法は、入射光束が大きくなるプロジェクターなどに液晶装置を適応した場合に、取り分け大きな効果を示していた。
【先行技術文献】
【特許文献】
【０００４】
【特許文献１】国際公開第９９／０４３８４号パンフレット
【発明の概要】
【発明が解決しようとする課題】
【０００５】
しかしながら、特許文献１に記載されている表示方式は、高精細な画像表示と両立し難いと云う課題があった。液晶装置の高精細化が進むにつれ水平走査期間は短くなる。その為に水平走査期間毎にプリチャージ動作を挿入すると、画像信号の書き込み期間が短くなり、各画素に正しい画像信号を供給できないからである。加えて、特許文献１に記載されている表示方式では、消費電力が増加すると共に電気光学装置の信頼性が低下するとの課題があった。プリチャージ動作は画像信号とは異なる充放電動作となるので、プリチャージ動作を行うと、消費電力は必ず増加する。消費電力の増加によって駆動用半導体装置は発熱し、駆動用半導体装置や電気光学装置の動作安定性が損ねられる懸念が見られた。換言すると、従来の電気光学装置では、クロストークが抑制された高精細画像を低消費電力で安定的に表示する事が困難であると云う課題があった。
【課題を解決するための手段】
【０００６】
本発明は、前述の課題の少なくとも一部を解決する為になされたものであり、以下の形態又は適用例として実現する事が可能である。
【０００７】
（適用例１）
本適用例に係わる電気光学装置は、複数の走査線と、複数の信号線と、複数の走査線と複数の信号線との各交差に対応して配置された画素と、複数の走査線と複数の信号線とに駆動信号を供給する駆動部とを備えた電気光学装置であって、複数の信号線は、ｋ個の信号線群に分類され（ｋは２以上の整数）、駆動部は、複数の信号線にプリチャージ信号を供給するプリチャージ回路と、複数の信号線に画像信号を供給する画像信号回路と、を含み、画像信号回路はｋ本の画像系列線とｋ種類のスイッチとを含み、プリチャージ回路はｋ本のプリチャージ系列線とｋ種類のプリチャージスイッチとを含む事を特徴とする。
この構成によると、水平走査期間では、ｋ個の信号線群の一部にプリチャージ信号が供給されている期間に、ｋ個の信号線群の他の一部に画像信号が供給される事が可能となる。その為に、水平走査期間において、ｋ個の信号線群に画像信号が供給される場合、ｋ個の信号線群の一部ではプリチャージ信号が供給された後に画像信号が供給され、ｋ個の信号線群の残りではプリチャージ信号が供給されないで画像信号が供給される事になる。この結果、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【０００８】
（適用例２）
本適用例に係わる電気光学装置は、複数の走査線と、複数の信号線と、複数の走査線と複数の信号線との各交差に対応して配置された画素と、複数の走査線と複数の信号線とに駆動信号を供給する駆動部とを備えた電気光学装置であって、複数の信号線は、ｋ個の信号線群に分類され（ｋは２以上の整数）、駆動部は、複数の信号線にプリチャージ信号を供給するプリチャージ回路と、複数の信号線に画像信号を供給する画像信号回路と、を含み、画像信号回路はｋ本の画像系列線とｋ種類のスイッチとを含み、プリチャージ回路はｋ本の正プリチャージ系列線とｋ種類の正プリチャージスイッチとｋ本の負プリチャージ系列線とｋ種類の負プリチャージスイッチとを含む事を特徴とする。
この構成によると、水平走査期間では、ｋ個の信号線群の一部にプリチャージ信号が供給されている期間に、ｋ個の信号線群の他の一部に画像信号が供給される事が可能となる。その為に、水平走査期間において、ｋ個の信号線群に画像信号が供給される場合、ｋ個の信号線群の一部ではプリチャージ信号が供給された後に画像信号が供給され、ｋ個の信号線群の残りではプリチャージ信号が供給されないで画像信号が供給される事になる。この結果、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【０００９】
（適用例３）
上記適用例１又は２に記載の電気光学装置に於いて、駆動部は、水平走査期間において、ｋ個の信号線群に画像信号を供給する場合、ｋ個の信号線群の一部にプリチャージ信号を供給した後に画像信号を供給し、ｋ個の信号線群の残りにプリチャージ信号を供給しないで画像信号を供給する事を特徴とする。
この構成によると、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【００１０】
（適用例４）
上記適用例１乃至３のいずれか一項に記載の電気光学装置に於いて、駆動部は、第１の水平走査期間に、ｋ個の信号線群の一部にプリチャージ信号を供給した後に画像信号を供給し、ｋ個の信号線群の残りにプリチャージ信号を供給しないで画像信号を供給し、第１の水平走査期間に続く第２の水平走査期間に、ｋ個の信号線群の一部にプリチャージ信号を供給した後に画像信号を供給し、ｋ個の信号線群の残りにプリチャージ信号を供給しないで画像信号を供給し、第１の水平走査期間と第２の水平走査期間とで、プリチャージ信号が供給される信号線が異なっている事が好ましい。
この構成によると、第１の水平走査期間と第２の水平走査期間とで、プリチャージ信号が供給される信号線が異なっているので、プリチャージ動作の回数が減らされると共に、第１の水平走査期間にプリチャージ信号が供給される信号線と第２の水平走査期間にプリチャージ信号が供給される信号線とを変える事ができる。
【００１１】
（適用例５）
上記適用例１乃至４のいずれか一項に記載の電気光学装置に於いて、垂直走査期間は、少なくとも第１から第ｋの水平走査期間を含み、駆動部は、第１から第ｋの水平走査期間の各々で、ｋ個の信号線群の一部にプリチャージ信号を供給した後に画像信号を供給し、ｋ個の信号線群の残りにプリチャージ信号を供給しないで画像信号を供給し、第１から第ｋの水平走査期間でｋ個の信号線群の総てにプリチャージ信号を供給する事が好ましい。
この構成によると、プリチャージ動作の回数を減らせると共に、総ての信号線にプリチャージ信号を供給する事ができる。
【００１２】
（適用例６）
上記適用例５に記載の電気光学装置に於いて、垂直走査期間に、ｋ個の信号線群の総てにプリチャージ信号を供給しないで画像信号を供給する水平走査期間が含まれる事が好ましい。
この構成によると、プリチャージ信号を供給しない水平走査期間が垂直走査期間に含まれるので、プリチャージ動作の回数を更に減らす事ができる。
【００１３】
（適用例７）
上記適用例５又は６に記載の電気光学装置に於いて、駆動部は、垂直走査期間において、ｋ個の信号線群の各々に、複数回のプリチャージ信号を供給し、ある信号線群に対してプリチャージ信号が供給された後に次のプリチャージ信号が供給される迄の期間が３２水平走査期間以下である事が好ましい。
この構成によるとクロストークを抑制する事ができる。
【００１４】
（適用例８）
適用例１乃至７のいずれか一項に記載の電気光学装置を備えた事を特徴とする電子機器。
この構成によると、クロストークが抑制された高精細画像を低消費電力で安定的に表示する電気光学装置を備えた電子機器を実現する事ができる。
【００１５】
（適用例９）
本適用例に係わる電気光学装置の駆動方法は、複数の走査線と、複数の信号線と、複数の走査線と複数の信号線との各交差に対応して配置された画素と、を備えた電気光学装置の駆動方法であって、複数の信号線は、ｋ個の信号線群に分類され（ｋは２以上の整数）、垂直走査期間は少なくとも第１の水平走査期間を含み、第１の水平走査期間では、ｋ個の信号線群の一部にプリチャージ信号が供給されている期間に、ｋ個の信号線群の他の一部に画像信号が供給される事を特徴とする。
この方法によると、クロストークが抑制されると共に、プリチャージ動作の回数が減少するので、消費電力も削減される。それに伴い、発熱量も少なくなるので、電気光学装置の動作安定性も改善される。即ち、クロストークが抑制された高精細画像を低消費電力で安定的に表示する電気光学装置を実現する事ができる。
【００１６】
（適用例１０）
上記適用例９に記載の電気光学装置の駆動方法に於いて、垂直走査期間は更に第２の水平走査期間を含み、第２の水平走査期間では、ｋ個の信号線群の一部にプリチャージ信号が供給されている期間に、ｋ個の信号線群の他の一部に画像信号が供給され、第１の水平走査期間と第２の水平走査期間とで、プリチャージ信号が供給される信号線が異なっている事が好ましい。
この方法によると、第１の水平走査期間と第２の水平走査期間とで、プリチャージ信号が供給される信号線が異なっているので、プリチャージ動作の回数が減らされると共に、第１の水平走査期間にプリチャージ信号が供給される信号線と第２の水平走査期間にプリチャージ信号が供給される信号線とを変える事ができる。
【００１７】
（適用例１１）
本適用例に係わる電気光学装置の駆動方法は、複数の走査線と、複数の信号線と、複数の走査線と複数の信号線との各交差に対応して配置された画素と、を備えた電気光学装置の駆動方法であって、複数の信号線は、ｋ個の信号線群に分類され（ｋは２以上の整数）、垂直走査期間は少なくとも第１の水平走査期間から第ｋの水平走査期間迄のｋ個の水平走査期間を含み、ｋ個の水平走査期間の各々で、ｋ個の信号線群の一部にプリチャージ信号が供給されている期間に、ｋ個の信号線群の他の一部に画像信号が供給され、第１の水平走査期間から第ｋの水平走査期間迄の期間にｋ個の信号線群の総てにプリチャージ信号が同じ回数供給される事を特徴とする。
この方法によると、プリチャージ動作の回数を減らせると共に、総ての信号線にプリチャージ信号を供給する事ができる。
【００１８】
（適用例１２）
上記適用例９乃至１１のいずれか一項に記載の電気光学装置の駆動方法により駆動される事を特徴とする電気光学装置。
この構成によると、クロストークが抑制された高精細画像を低消費電力で安定的に表示する電気光学装置を実現する事ができる。
【００１９】
（適用例１３）
上記適用例１２に記載の電気光学装置を備えた事を特徴とする電子機器。
この構成によると、クロストークが抑制された高精細画像を低消費電力で安定的に表示する電気光学装置を備えた電子機器を実現する事ができる。
【図面の簡単な説明】
【００２０】
【図１】電子機器の一例である投射型表示装置（３板式のプロジェクター）の模式図。
【図２】電気光学装置の回路ブロック図。
【図３】画素の回路図。
【図４】実施形態１に係わる信号線駆動回路の回路構成を説明した図。
【図５】実施形態１に係わる駆動方法を説明するタイミングチャートの一例。
【図６】実施形態１に係わる駆動方法を説明するタイミングチャートの一例。
【図７】プリチャージ動作の頻度とクロストークとの関係を説明した図。
【図８】実施形態２に係わる駆動方法を説明するタイミングチャートの一例。
【図９】実施形態２に係わる駆動方法を説明するタイミングチャートの一例。
【図１０】実施形態３に係わる駆動方法を説明するタイミングチャートの一例。
【図１１】実施形態３に係わる駆動方法を説明するタイミングチャートの一例。
【図１２】実施形態４に係わる信号線駆動回路の回路構成を説明した図。
【図１３】実施形態４に係わる駆動方法を説明するタイミングチャートの一例。
【図１４】実施形態４に係わる駆動方法を説明するタイミングチャートの一例。
【図１５】比較例を説明する図。
【発明を実施するための形態】
【００２１】
以下、本発明の実施形態について、図面を参照して説明する。尚、以下の各図においては、各層や各部材を認識可能な程度の大きさにするため、各層や各部材の尺度を実際とは異ならせしめている。
【００２２】
（実施形態１）
「電子機器の概要」
図１は、電子機器の一例である投射型表示装置（３板式のプロジェクター）の模式図である。以下、図１を参照して電子機器の構成を説明する。
【００２３】
電子機器（投射型表示装置１０００）は、３枚の電気光学装置２０（図２参照、以下、第一パネル２０１、第二パネル２０２、第三パネル２０３と略称する）と、これら電気光学装置２０に制御信号を供給する制御装置３０と、を少なくとも有している。第一パネル２０１と第二パネル２０２と第三パネル２０３とは、相異なる表示色（赤色や緑色、青色）に対応する３個の電気光学装置２０である。以下、特に第一パネル２０１と第二パネル２０２と第三パネル２０３とを区別する必要がなければ、これらを纏めて単に電気光学装置２０と称する。
【００２４】
照明光学系１１００は、照明装置（光源）１２００からの出射光のうち赤色成分ｒを第一パネル２０１に供給し、緑色成分ｇを第二パネル２０２に供給し、青色成分ｂを第三パネル２０３に供給する。各電気光学装置２０は、照明光学系１１００から供給される各色光を表示画像に応じて変調する光変調器（ライトバルブ）として機能する。投射光学系１３００は、各電気光学装置２０からの出射光を合成して投射面１４００に投射する。
【００２５】
「電子機器の回路構成」
図２は、電気光学装置の回路ブロック図である。次に、図２を参照して電気光学装置２０の回路ブロック構成を説明する。
【００２６】
図２に示す様に、電気光学装置２０は表示領域４２と駆動部５０とを少なくとも具備している。表示領域４２には、相交差する複数の走査線２２と複数の信号線２３とが形成され、走査線２２と信号線２３との各交差に対応して画素２１が行列状に配列されている。走査線２２は行方向に延在しており、信号線２３は列方向に延在している。尚、走査線２２の内でｉ行目の走査線２２を特定する際には、走査線Ｇｉと表記し、信号線２３の内で（ｊｋ＋ｐ）列目の信号線２３を特定する際には、信号線Ｓｊｋ＋ｐと表記する（ｊ、ｋ、ｐについては後に詳述する）。表示領域４２には、ｍ本の走査線２２とｎ本の信号線２３とが形成されている（ｍは２以上の整数、ｎは２以上の整数）。尚、本実施形態では、ｍ＝２１６８で、ｎ＝４１１２を例として、電気光学装置２０とその駆動方法などを説明する。この場合、２１６８行×４１１２列の表示領域４２に対し、２１６０行×４０９６列の所謂４Ｋ画像が表示される。
【００２７】
表示領域４２には駆動部５０から各種信号が供給され、画像が表示領域４２に表示される。即ち、駆動部５０は、複数の走査線２２と複数の信号線２３とに駆動信号を供給する。具体的に、駆動部５０は、各画素２１を駆動する駆動回路５１と、駆動回路５１に表示用信号を供給する表示用信号供給回路３２と、フレーム画像を一時的に記憶する記憶回路３３と、を含んで構成される。記憶回路３３に記憶されたフレーム画像から、表示用信号供給回路３２は表示用信号（画像信号やクロック信号等）を作製し、これを駆動回路５１に供給する。表示用信号供給回路３２はプリチャージ信号ＶＰＲＣ（図５参照）も作製し、これを駆動回路５１に供給する。
【００２８】
駆動回路５１は走査線駆動回路５２と信号線駆動回路５３とを含んで構成される。表示領域４２の第一辺（本実施形態では表示領域の左辺）に対して、第一辺に表示領域４２を挟んで対向する（ほぼ平行する）表示領域４２の辺を第二辺（本実施形態では表示領域の右辺）とし、第一辺に交差する（ほぼ直交する）表示領域４２の辺を第三辺（本実施形態では表示領域の下辺）とし、第三辺に表示領域４２を挟んで対向する（ほぼ平行する）表示領域４２の辺を第四辺（本実施形態では表示領域の上辺）とする。走査線駆動回路５２は、表示領域４２の第一辺か、第二辺か、第一辺と第二辺とか、に沿って形成される。図２では分かり易くする為に省略されているが、本実施形態では、図４に示す様に、走査線駆動回路５２は、表示領域４２の第一辺と第二辺とに沿って形成されている。一方、信号線駆動回路５３は、表示領域４２の第三辺か、第四辺か、第三辺と第四辺とか、に沿って形成される。本実施形態では、信号線駆動回路５３の一部（本実施形態ではプリチャージ回路５３１）が、表示領域４２の第四辺に沿って形成されており、信号線駆動回路５３の他の一部（本実施形態では画像信号回路５３２）が、表示領域４２の第三辺に沿って形成されている。
【００２９】
走査線駆動回路５２は画素を行方向に選択又は非選択する走査信号を各走査線２２に出力し、走査線２２はこの走査信号を画素２１に伝える。言い換えると、走査信号は選択状態と非選択状態とを有しており、走査線２２は、走査線駆動回路５２からの走査信号を受けて、適宜選択され得る。走査線駆動回路５２は不図示のシフトレジスター回路を備えており、シフトレジスター回路をシフトする信号が、一段毎にシフト出力信号として出力される。このシフト出力信号を用いて走査信号が形成される。
【００３０】
信号線駆動回路５３は、複数の信号線２３にプリチャージ信号ＶＰＲＣを供給するプリチャージ回路５３１と、複数の信号線２３に画像信号を供給する画像信号回路５３２と、を含んでおり、走査線２２の選択に同期してｎ本の信号線２３の各々にプリチャージ信号ＶＰＲＣや画像信号を供給する事ができる。
【００３１】
一枚の表示画像は１フレーム期間に形成される。１フレーム期間には各走査線２２が少なくとも一度は選択される。通常は、各走査線２２が一度ずつ選択される。一つの走査線が選択される期間を水平走査期間と呼ぶので、１フレーム期間には少なくともｍ個の水平走査期間が含まれる。１行目走査線Ｇ１から順にｍ行目の走査線Ｇｍまで（或いは、ｍ行目走査線Ｇｍから順に１行目の走査線Ｇ１まで）順次走査線２２が選択されて１フレーム期間が構成されるので、フレーム期間を垂直走査期間とも呼ぶ。
【００３２】
本実施形態では電気光学装置２０は不図示のガラス基板を用いて形成され、駆動回路５１はこのガラス基板に薄膜トランジスター等の薄膜素子を用いて形成されている。又、表示用信号供給回路３２と記憶回路３３とが制御装置３０に含まれており、制御装置３０は単結晶半導体基板に形成される半導体集積回路で構成されている。この構成以外にも、表示領域４２がガラス基板に形成され、駆動回路５１は単結晶半導体基板に形成される集積回路としても良いし、表示領域４２も駆動回路５１も単結晶半導体基板に形成される構成としても良い。
【００３３】
「画素の構成」
図３は、各画素の回路図である。次に、図３を参照して画素２１の構成を説明する。
【００３４】
本実施形態の電気光学装置２０は液晶装置であり、電気光学材料は液晶２６となる。図３に示す様に、各画素２１は、液晶素子ＣＬと画素トランジスター２４とを含んで構成される。液晶素子ＣＬは、相対向する画素電極２５と共通電極２７とを有し、これら両電極間に電気光学材料の液晶２６が配置された電気光学素子である。画素電極２５と共通電極２７との間に印加される電界に応じて液晶２６を通過する光の透過率が変化する。尚、電気光学材料としては、液晶２６に代わり、電気泳動材料を用いても良い。その場合、電気光学装置２０は電気泳動装置となり、電子書籍などに使用される。
【００３５】
画素トランジスター２４は、走査線２２にゲートが接続されたＮ型の薄膜トランジスターで構成され、液晶素子ＣＬと信号線２３との間に介在して両者の電気的な接続（導通／非導通）を制御する。従って、画素２１（液晶素子ＣＬ）は、画素トランジスター２４がオン状態とされた際に信号線２３へ供給されている電位（画像信号）に応じた表示を行う。尚、液晶素子ＣＬに対して並列に接続される補助容量等の図示は省略されている。
【００３６】
「信号線駆動回路」
図４は、実施形態１に係わる信号線駆動回路の回路構成を説明した図である。次に、図４を参照して信号線駆動回路５３の構成を説明する。
【００３７】
信号線駆動回路５３は画像信号回路５３２とプリチャージ回路５３１とを含んでおり、これらの回路は表示領域４２の上辺又は下辺に沿って形成される。画像信号回路５３２は、第１画像系列線から第ｋ画像系列線迄のｋ本の画像系列線と、第１スイッチＳＷ１から第ｋスイッチＳＷｋ迄のｋ種類のスイッチとを含んでいる。ｋは２以上の整数で、本実施形態では一例として４（ｋ＝４）とされている。一方、プリチャージ回路５３１は、第１正プリチャージ系列線から第ｋ正プリチャージ系列線迄のｋ本の正プリチャージ系列線と、第１正プリチャージスイッチＰＳＷ１から第ｋ正プリチャージスイッチＰＳＷｋ迄のｋ種類の正プリチャージスイッチと、第１負プリチャージ系列線から第ｋ負プリチャージ系列線迄のｋ本の負プリチャージ系列線と、第１負プリチャージスイッチＮＳＷ１から第ｋ負プリチャージスイッチＮＳＷｋ迄のｋ種類の負プリチャージスイッチとを含んでいる。この様にして、信号線駆動回路５３はｎ本の信号線２３の各々にプリチャージ信号ＶＰＲＣと画像信号とを供給する事ができる。
【００３８】
まず、ｎ本の信号線２３はｋ個の信号線群に分類される。即ち、画像系列信号がｋ種類あり、これに応じて、ｎ本の信号線２３は、第１系列の信号線（第１系列信号線群と称す）から第ｋ系列の信号線（第ｋ系列信号線群と称す）まで、ｋ種類の信号線群に分類される。（ｊｋ＋ｐ）列目の信号線Ｓｊｋ＋ｐにてｐは１からｋ迄のいずれかの値を取り、（ｊｋ＋ｐ）列目の信号線Ｓｊｋ＋ｐは第ｐ系列信号線群に属する。又、パラメーターｊは０からｑまでのいずれかの整数値を取り得る。数値ｑはパラメーターｊの最大値で、信号線２３の本数ｎを系列数ｋにて除した値から１を減じた値である（ｑ＝ｎ／ｋ−１）。本実施形態では、一例として、ｎ＝４１１２とし、ｋ＝４としているので、パラメーターｊが取り得る最大値ｑは１０２７（ｑ＝１０２７）である。従って、第１系列信号線群は（ｊｋ＋１）列目の信号線Ｓｊｋ＋１の集合体であり、具体的には、ｊ＝０の１列目の信号線Ｓ１、ｊ＝１の５列目の信号線Ｓ５、ｊ＝２の９列目の信号線Ｓ９、と続き、ｊ＝１０２７の４１０９列目の信号線Ｓ４１０９、迄の１０２８本の信号線２３が含まれる。同様に、第２系列信号線群は（ｊｋ＋２）列目の信号線Ｓｊｋ＋２の集合体であり、具体的には、ｊ＝０の２列目の信号線Ｓ２、ｊ＝１の６列目の信号線Ｓ６、ｊ＝２の１０列目の信号線Ｓ１０、と続き、ｊ＝１０２７の４１１０列目の信号線Ｓ４１１０、迄の１０２８本の信号線２３が含まれる。以下同様にして、第ｋ系列信号線群は（ｊｋ＋ｋ）列目の信号線Ｓｊｋ＋ｋの集合体であり、具体的には、ｊ＝０のｋ列目の信号線Ｓｋ、ｊ＝１の２ｋ列目の信号線Ｓ２ｋ、ｊ＝２の３ｋ列目の信号線Ｓ３ｋ、と続き、ｊ＝ｑの（ｑ＋１）ｋ列目の信号線Ｓ（ｑ＋１）ｋ（この例では、ｊ＝１０２８の４１１２列目の信号線Ｓ４１１２）の１０２８本の信号線２３が含まれる。
【００３９】
画像信号回路５３２には、ｋ種類の画像系列信号に対応するｋ本の画像系列線と、（ｑ＋１）本の元信号線が配線されている。第ｐ画像系列線には第ｐ画像系列信号ＳＥＬｐが供給される（ｐは１からｋ迄の任意の整数）。例えば、第１画像系列線には第１画像系列信号ＳＥＬ１が供給され、第２画像系列線には第２画像系列信号ＳＥＬ２が供給され、以下同様にして、第ｋ画像系列線には第ｋ画像系列信号ＳＥＬｋが供給される。第ｊ元信号線には第ｊ元信号ＯＳｊが供給される。例えば、第０元信号線には第０元信号ＯＳ０が供給され、第１元信号線には第１元信号ＯＳ１が供給され、以下同様にして、第ｑ元信号線には第ｑ元信号ＯＳｑが供給される。尚、図４には、第０元信号線が接続する信号線２３（１列目の信号線Ｓ１からｋ列目の信号線Ｓｋ）に関する画像信号回路５３２と表示領域４２とプリチャージ回路５３１とを主に記載してある。その他の第１元信号線が接続する信号線２３（ｋ＋１列目の信号線Ｓｋ＋１から２ｋ列目の信号線Ｓ２ｋ）に関する画像信号回路５３２と表示領域４２とプリチャージ回路５３１とから第ｑ元信号線が接続する信号線２３（ｑｋ＋１列目の信号線Ｓｑｋ＋１から（ｑ＋１）ｋ列目の信号線Ｓ（ｑ＋１）ｋ）に関する画像信号回路５３２と表示領域４２とプリチャージ回路５３１と迄は、第０元信号線が接続する信号線２３に関する画像信号回路５３２と表示領域４２とプリチャージ回路５３１と同じ回路構成が繰り返される。
【００４０】
画像信号回路５３２には、ｑ＋１個（即ち、ｎ／ｋ個）の第１スイッチＳＷ１からｑ＋１個（即ち、ｎ／ｋ個）の第ｋスイッチＳＷｋが含まれている。第１スイッチＳＷ１から第ｋスイッチＳＷｋは、画素トランジスター２４と同様に、薄膜トランジスターで形成されている。第ｐスイッチＳＷｐの一端（ソースとドレインとの一方）は（ｊｋ＋ｐ）列目の信号線Ｓｊｋ＋ｐに電気的に接続され、第ｐスイッチＳＷｐの他端（ソースとドレインとの他方）は第ｊ元信号線に電気的に接続され、第ｐスイッチＳＷｐのゲートは第ｐ画像系列線に電気的に接続されている。従って、第ｐ画像系列信号ＳＥＬｐが選択信号となれば、第ｐスイッチＳＷｐはオン状態となり、（ｊｋ＋ｐ）列目の信号線Ｓｊｋ＋ｐには、画像信号として第ｊ元信号ＯＳｊが供給される。例えば、第１系列信号線群に属する１列目の信号線Ｓ１と第０元信号線との間に第１スイッチＳＷ１が配置され、第１スイッチＳＷ１のゲートは第１画像系列線に電気的に接続されている。その為に、第１画像系列信号ＳＥＬ１が選択信号となれば、第１スイッチＳＷ１はオン状態となり、１列目の信号線Ｓ１には、画像信号として第０元信号ＯＳ０が供給される。同様に、例えば、第４系列信号線群に属する４１１２列目の信号線Ｓ４１１２と第１０２７元信号線との間に第４スイッチＳＷ４が配置され、第４スイッチＳＷ４のゲートは第４画像系列線に電気的に接続されている。その為に、第４画像系列信号ＳＥＬ４が選択信号となれば、第４スイッチＳＷ４はオン状態となり、４１１２列目の信号線Ｓ４１１２には、画像信号として第１０２７元信号ＯＳ１０２７が供給される。
【００４１】
プリチャージ回路５３１には、ｋ種類の正プリチャージ系列信号ＰＰＲＣに対応するｋ本の正プリチャージ系列線と、ｋ種類の負プリチャージ系列信号ＮＰＲＣに対応するｋ本の負プリチャージ系列線と、正プリチャージ信号ＶＰＲＣ＋が供給される正プリチャージ信号ＶＰＲＣ線と、負プリチャージ信号ＶＰＲＣ−が供給される負プリチャージ信号ＶＰＲＣ線と、が配線されている。
【００４２】
第ｐ正プリチャージ系列線には第ｐ正プリチャージ系列信号ＰＰＲＣｐが供給される（ｐは１からｋ迄の任意の整数）。例えば、第１正プリチャージ系列線には第１正プリチャージ系列信号ＰＰＲＣ１が供給され、第２正プリチャージ系列線には第２正プリチャージ系列信号ＰＰＲＣ２が供給され、以下同様にして、第ｋ正プリチャージ系列線には第ｋ正プリチャージ系列信号ＰＰＲＣｋが供給される。正プリチャージ信号ＶＰＲＣ線には正プリチャージ信号ＶＰＲＣ＋が供給される。
【００４３】
プリチャージ回路５３１には、ｑ＋１個（即ち、ｎ／ｋ個）の第１正プリチャージスイッチＰＳＷ１からｑ＋１個（即ち、ｎ／ｋ個）の第ｋ正プリチャージスイッチＰＳＷｋが含まれている。第１正プリチャージスイッチＰＳＷ１から第ｋ正プリチャージスイッチＰＳＷｋは、画素トランジスター２４と同様に、薄膜トランジスターで形成されている。第ｐ正プリチャージスイッチＰＳＷｐの一端（ソースとドレインとの一方）は（ｊｋ＋ｐ）列目の信号線Ｓｊｋ＋ｐに電気的に接続され、第ｐ正プリチャージスイッチＰＳＷｐの他端（ソースとドレインとの他方）は正プリチャージ信号ＶＰＲＣ線に電気的に接続され、第ｐ正プリチャージスイッチＰＳＷｐのゲートは第ｐ正プリチャージ系列線に電気的に接続されている。従って、第ｐ正プリチャージ系列信号ＰＰＲＣｐが選択信号となれば、第ｐ正プリチャージスイッチＰＳＷｐはオン状態となり、（ｊｋ＋ｐ）列目の信号線Ｓｊｋ＋ｐには、正プリチャージ信号ＶＰＲＣ＋が供給される。例えば、第１系列信号線群に属する１列目の信号線Ｓ１と正プリチャージ信号ＶＰＲＣ線との間に第１正プリチャージスイッチＰＳＷ１が配置され、第１正プリチャージスイッチＰＳＷ１のゲートは第１正プリチャージ系列線に電気的に接続されている。その為に、第１正プリチャージ系列信号ＰＰＲＣ１が選択信号となれば、第１正プリチャージスイッチＰＳＷ１はオン状態となり、１列目の信号線Ｓ１には、正プリチャージ信号ＶＰＲＣ＋が供給される。同様に、例えば、第４系列信号線群に属する４１１２列目の信号線Ｓ４１１２と正プリチャージ信号ＶＰＲＣ線との間に第４正プリチャージスイッチＰＳＷ４が配置され、第４正プリチャージスイッチＰＳＷ４のゲートは第４正プリチャージ系列線に電気的に接続されている。その為に、第４正プリチャージ系列信号ＰＰＲＣ４が選択信号となれば、第４正プリチャージスイッチＰＳＷ４はオン状態となり、４１１２列目の信号線Ｓ４１１２には、正プリチャージ信号ＶＰＲＣ＋が供給される。
【００４４】
第ｐ負プリチャージ系列線には第ｐ負プリチャージ系列信号ＮＰＲＣｐが供給される（ｐは１からｋ迄の任意の整数）。例えば、第１負プリチャージ系列線には第１負プリチャージ系列信号ＮＰＲＣ１が供給され、第２負プリチャージ系列線には第２負プリチャージ系列信号ＮＰＲＣ２が供給され、以下同様にして、第ｋ負プリチャージ系列線には第ｋ負プリチャージ系列信号ＮＰＲＣｋが供給される。負プリチャージ信号ＶＰＲＣ線には負プリチャージ信号ＶＰＲＣ−が供給される。
【００４５】
プリチャージ回路５３１には、ｑ＋１個（即ち、ｎ／ｋ個）の第１負プリチャージスイッチＮＳＷ１からｑ＋１個（即ち、ｎ／ｋ個）の第ｋ負プリチャージスイッチＮＳＷｋが含まれている。第１負プリチャージスイッチＮＳＷ１から第ｋ負プリチャージスイッチＮＳＷｋは、画素トランジスター２４と同様に、薄膜トランジスターで形成されている。第ｐ負プリチャージスイッチＮＳＷｐの一端（ソースとドレインとの一方）は（ｊｋ＋ｐ）列目の信号線Ｓｊｋ＋ｐに電気的に接続され、第ｐ負プリチャージスイッチＮＳＷｐの他端（ソースとドレインとの他方）は負プリチャージ信号ＶＰＲＣ線に電気的に接続され、第ｐ負プリチャージスイッチＮＳＷｐのゲートは第ｐ負プリチャージ系列線に電気的に接続されている。従って、第ｐ負プリチャージ系列信号ＮＰＲＣｐが選択信号となれば、第ｐ負プリチャージスイッチＮＳＷｐはオン状態となり、（ｊｋ＋ｐ）列目の信号線Ｓｊｋ＋ｐには、負プリチャージ信号ＶＰＲＣ−が供給される。例えば、第１系列信号線群に属する１列目の信号線Ｓ１と負プリチャージ信号ＶＰＲＣ線との間に第１負プリチャージスイッチＮＳＷ１が配置され、第１負プリチャージスイッチＮＳＷ１のゲートは第１負プリチャージ系列線に電気的に接続されている。その為に、第１負プリチャージ系列信号ＮＰＲＣ１が選択信号となれば、第１負プリチャージスイッチＮＳＷ１はオン状態となり、１列目の信号線Ｓ１には、負プリチャージ信号ＶＰＲＣ−が供給される。同様に、例えば、第４系列信号線群に属する４１１２列目の信号線Ｓ４１１２と負プリチャージ信号ＶＰＲＣ線との間に第４負プリチャージスイッチＮＳＷ４が配置され、第４負プリチャージスイッチＮＳＷ４のゲートは第４負プリチャージ系列線に電気的に接続されている。その為に、第４負プリチャージ系列信号ＮＰＲＣ４が選択信号となれば、第４負プリチャージスイッチＮＳＷ４はオン状態となり、４１１２列目の信号線Ｓ４１１２には、負プリチャージ信号ＶＰＲＣ−が供給される。
【００４６】
尚、本明細書にて、端子１と端子２とが電気的に接続されているとは、端子１と端子２とが同じ論理状態（設計概念上の電位）になり得る事を意味している。具体的には、端子１と端子２とが配線により直に接続されている場合の他に、抵抗素子やスイッチング素子等を介して接続されている場合を含む。即ち、端子１での電位と端子２での電位とが多少異なっていても、回路上で同じ論理を持たせる場合、端子１と端子２とは電気的に接続されている事になる。従って、例えば、図４に示す様に、１列目の信号線Ｓ１と第０元信号線との間に第１スイッチＳＷ１が配置された場合も、第１スイッチＳＷ１がオン状態では、第０元信号ＯＳ０が１列目の信号線Ｓ１に供給されるので、１列目の信号線Ｓ１と第０元信号線とは電気的に接続されている事になる。
【００４７】
「駆動方法」
図５は、実施形態１に係わる駆動方法を説明するタイミングチャートの一例で、正極性駆動時のタイミングチャートを表している。又、図６は、実施形態１に係わる駆動方法を説明するタイミングチャートの一例で、負極性駆動時のタイミングチャートを表している。次に、図５と図６と図１５とを参照して、上述の構成をなす電気光学装置２０の駆動方法を説明する。尚、図１５は比較例を説明する図であるが、説明を分かり易くする為に、本実施形態と同種類の信号には同じ符号や表記を用いている。
【００４８】
電気光学装置２０では、電気光学材料の電気的な劣化を防ぐ目的で、極性反転駆動が行われる。極性反転駆動とは、一定周期毎に画素電極２５と共通電極２７との間の電界を反転させる駆動方法である。具体的には、共通電極２７の電位（共通電位）に対して、画素電極２５の電位（画素電位）を正負に振る駆動方法で、正極性駆動とは画素電位が共通電位よりも高くなる様に画像信号が形成される駆動方法で、負極性駆動とは画素電位が共通電位よりも低くなる様に画像信号が形成される駆動方法である。正極性駆動時に信号線２３には正プリチャージ信号ＶＰＲＣ＋が供給され、負極性駆動時に信号線２３には負プリチャージ信号ＶＰＲＣ−が供給される。図５は正極性駆動時に供給される走査信号や画像系列信号ＳＥＬ、正プリチャージ系列信号ＰＰＲＣ、負プリチャージ系列信号ＮＰＲＣが示されている。又、図６は負極性駆動時に供給される走査信号や画像系列信号ＳＥＬ、正プリチャージ系列信号ＰＰＲＣ、負プリチャージ系列信号ＮＰＲＣが示されている。尚、図５と図６とでは、走査信号の一例として、ｉ行目の走査線Ｇｉからｉ＋４行目の走査線Ｇｉ＋４に供給される走査信号が描かれている。本実施形態では、極性反転駆動の周期をフレーム周期とし、１フレーム毎に極性が反転されている。
【００４９】
１回の垂直走査期間にはｍ個の水平走査期間が含まれるが、一垂直走査期間は少なくとも第１の水平走査期間を含んでいる。図５や図６に示す様に、第１の水平走査期間においては、駆動部５０がｋ個の信号線群に画像信号を供給する場合、ｋ個の信号線群の一部にはプリチャージ信号ＶＰＲＣを供給した後に画像信号を供給し、ｋ個の信号線群の残りにはプリチャージ信号ＶＰＲＣを供給しないで画像信号を供給する。一方、図１５に示す様に、従来技術に相当する比較例では、総ての水平走査期間にて総ての信号線２３にプリチャージ信号ＶＰＲＣを供給している。図５や図６に示す本実施形態の駆動方法とする事で、後述する様に、クロストークは抑制される。又、プリチャージ動作の回数が減少するので、消費電力も削減される。それに伴い、発熱量も少なくなるので、電気光学装置２０の動作安定性も改善される。即ち、クロストークが抑制された高精細画像を低消費電力で安定的に表示する電気光学装置２０が実現される事になる。
【００５０】
まず、図５を参照して、正極性駆動を説明する。正極性駆動時には負プリチャージ系列信号ＮＰＲＣは総て常に非選択状態となり、正プリチャージ系列信号ＰＰＲＣの一部が選択状態となり得る。
【００５１】
第１の水平走査期間では、プリチャージ信号ＶＰＲＣを供給する際に、第１正プリチャージ系列信号ＰＰＲＣ１から第ｋ正プリチャージ系列信号ＰＰＲＣｋの少なくとも一つを非選択信号とする。例えば、ｉ行目の走査線Ｇｉが選択された水平走査期間を第１の水平走査期間とすると、この水平走査期間では、プリチャージ信号ＶＰＲＣを供給する際にｋ個の信号線群の内の２つの信号線群（この例では、第３系列信号線群と第４系列信号線群と）にだけプリチャージ信号ＶＰＲＣが供給され、残りの２つの信号線群（この例では、第１系列信号線群と第２系列信号線群と）にはプリチャージ信号ＶＰＲＣは供給されていない。具体的には、ある水平走査期間では、ｋ個の信号線群の一部にプリチャージ信号ＶＰＲＣが供給されている期間（水平走査期間の一部の期間で、前期間と称する）に、ｋ個の信号線群の他の一部には画像信号が供給されており、更に、その水平走査期間で、前期間に続く期間（水平走査期間の他の一部の期間で、後期間と称する）に、プリチャージ信号ＶＰＲＣが供給されたｋ個の信号線群の一部に画像信号が供給されている。その為に、水平走査期間において、ｋ個の信号線群に画像信号が供給される場合、ｋ個の信号線群の一部では前期間にプリチャージ信号ＶＰＲＣが供給され、その後の後期間に画像信号が供給される。一方、ｋ個の信号線群の残りではプリチャージ信号ＶＰＲＣが供給されずに前期間に画像信号が供給される事になる。実際に、ｉ行目の走査線Ｇｉが選択された第１の水平走査期間では、前期間に第３正プリチャージ系列信号ＰＰＲＣ３と第４正プリチャージ系列信号ＰＰＲＣ４とが選択状態となって、（ｊｋ＋３）列目の信号線Ｓｊｋ＋３と（ｊｋ＋４）列目の信号線Ｓｊｋ＋４とに正プリチャージ信号ＶＰＲＣ＋が供給される。その他の第１正プリチャージ系列信号ＰＰＲＣ１と第２正プリチャージ系列信号ＰＰＲＣ２、及び総ての負プリチャージ系列信号ＮＰＲＣは非選択状態となっている。第１の水平走査期間の前期間には、第１画像系列信号ＳＥＬ１から第２画像系列信号ＳＥＬ２が順次、時系列に選択状態となって、（ｊｋ＋１）列目の信号線Ｓｊｋ＋１に第１系列の画像信号として第ｊ元信号ＯＳｊが供給されたのに続き、（ｊｋ＋２）列目の信号線Ｓｊｋ＋２に第２系列の画像信号として第ｊ元信号ＯＳｊが供給される。第１の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第３画像系列信号ＳＥＬ３から第４画像系列信号ＳＥＬ４が順次、時系列に選択状態となって、（ｊｋ＋３）列目の信号線Ｓｊｋ＋３に第３系列の画像信号として第ｊ元信号ＯＳｊが供給されたのに続き、（ｊｋ＋４）列目の信号線Ｓｊｋ＋４に第４系列の画像信号として第ｊ元信号ＯＳｊが供給される。
【００５２】
一垂直走査期間は更に第２の水平走査期間を含んでいる事が好ましい。第２の水平走査期間は第１の水平走査期間に続いている。第２の水平走査期間では、ｋ個の信号線群の一部にプリチャージ信号ＶＰＲＣが供給された後に画像信号が供給され、ｋ個の信号線群の残りにはプリチャージ信号ＶＰＲＣが供給されずに画像信号が供給される。この際に、第１の水平走査期間と第２の水平走査期間とでは、プリチャージ信号ＶＰＲＣが供給される信号線２３が異なる様にされている。第１の水平走査期間と第２の水平走査期間とで、プリチャージ信号ＶＰＲＣが供給される信号線２３が異なっているので、プリチャージ動作の回数が減らされると共に、第１の水平走査期間にプリチャージ信号ＶＰＲＣが供給される信号線と第２の水平走査期間にプリチャージ信号ＶＰＲＣが供給される信号線とを変える事ができる。
【００５３】
第２の水平走査期間でも、正プリチャージ系列信号ＰＰＲＣを供給する際に、第１正プリチャージ系列信号ＰＰＲＣ１から第ｋ正プリチャージ系列信号ＰＰＲＣｋの少なくとも一つを非選択信号とし、その際に第１の水平走査期間で非選択信号としたプリチャージ系列信号と第２の水平走査期間で非選択信号とするプリチャージ系列信号とを異なる様にする。この例の場合、ｉ＋１行目の走査線Ｇｉ＋１が選択された水平走査期間が第２の水平走査期間となるが、この水平走査期間では、プリチャージ信号ＶＰＲＣを供給する際にｋ個の信号線群の内の２つの信号線群（この例では、第４系列信号線群と第１系列信号線群と）にだけプリチャージ信号ＶＰＲＣが供給され、残りの２つの信号線群（この例では、第２系列信号線群と第３系列信号線群と）にはプリチャージ信号ＶＰＲＣは供給されていない。即ち、第２の水平走査期間でも、ｋ個の信号線群の一部にプリチャージ信号ＶＰＲＣが供給されている前期間に、ｋ個の信号線群の他の一部には画像信号が供給されており、更に、この水平走査期間の後期間に、プリチャージ信号ＶＰＲＣが供給されたｋ個の信号線群の一部に画像信号が供給されている。その為に、水平走査期間において、ｋ個の信号線群に画像信号が供給される場合、ｋ個の信号線群の一部では前期間にプリチャージ信号ＶＰＲＣが供給され、その後の後期間に画像信号が供給される。一方、ｋ個の信号線群の残りではプリチャージ信号ＶＰＲＣが供給されずに前期間に画像信号が供給される事になる。その際に、第１の水平走査期間にプリチャージ信号ＶＰＲＣが供給される信号線と第２の水平走査期間にプリチャージ信号ＶＰＲＣが供給される信号線とが変えられている。実際に、第２の水平走査期間では、前期間に第４正プリチャージ系列信号ＰＰＲＣ４と第１正プリチャージ系列信号ＰＰＲＣ１とが選択状態となって、（ｊｋ＋４）列目の信号線Ｓｊｋ＋４と（ｊｋ＋１）列目の信号線Ｓｊｋ＋１とに正プリチャージ信号ＶＰＲＣ＋が供給される。その他の第２正プリチャージ系列信号ＰＰＲＣ２と第３正プリチャージ系列信号ＰＰＲＣ３、及び総ての負プリチャージ系列信号ＮＰＲＣは非選択状態となっている。第２の水平走査期間の前期間には、第２画像系列信号ＳＥＬ２から第３画像系列信号ＳＥＬ３が順次、時系列に選択状態となって、（ｊｋ＋２）列目の信号線Ｓｊｋ＋２に第２系列の画像信号として第ｊ元信号ＯＳｊが供給されたのに続き、（ｊｋ＋３）列目の信号線Ｓｊｋ＋３に第３系列の画像信号として第ｊ元信号ＯＳｊが供給される。第２の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第４画像系列信号ＳＥＬ４から第１画像系列信号ＳＥＬ１が順次、時系列に選択状態となって、（ｊｋ＋４）列目の信号線Ｓｊｋ＋４に第４系列の画像信号として第ｊ元信号ＯＳｊが供給されたのに続き、（ｊｋ＋１）列目の信号線Ｓｊｋ＋１に第１系列の画像信号として第ｊ元信号ＯＳｊが供給される。
【００５４】
一垂直走査期間が少なくとも第１の水平走査期間から第ｋの水平走査期間迄のｋ個の水平走査期間を含んでおり、第１から第ｋのｋ個の水平走査期間の各々で、ｋ個の信号線群の一部にプリチャージ信号ＶＰＲＣが供給された後に画像信号が供給され、ｋ個の信号線群の残りにはプリチャージ信号ＶＰＲＣが供給されずに画像信号が供給され、第１の水平走査期間から第ｋの水平走査期間迄の期間にｋ個の信号線群の総てにプリチャージ信号ＶＰＲＣが同じ回数供給される事が最も好ましい。言い換えると、一垂直走査期間は、少なくとも第１の水平走査期間から第ｋの水平走査期間迄のｋ個の水平走査期間を含み、駆動部５０は、第１から第ｋの水平走査期間の各々で、ｋ個の信号線群の一部にプリチャージ信号ＶＰＲＣが供給されている前期間に、ｋ個の信号線群の他の一部に画像信号を供給し、前期間に続く後期間にプリチャージ信号ＶＰＲＣが供給されたｋ個の信号線群の一部に画像信号を供給し、第１から第ｋの水平走査期間でｋ個の信号線群の総てにプリチャージ信号ＶＰＲＣを供給する事が好ましい。斯うすると、プリチャージ動作の回数を減らせると共に、総ての信号線にプリチャージ信号ＶＰＲＣが供給されるからである。
【００５５】
本実施形態ではｋ＝４であるので、図５に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では２個の信号線群）に正プリチャージ信号ＶＰＲＣ＋が供給された後に画像信号が供給され、４個の信号線群の残りには正プリチャージ信号ＶＰＲＣ＋が供給されずに画像信号が供給されている。言い換えると、４個の水平走査期間の各々で、前期間に４個の信号線群の一部（本実施形態では２個の信号線群）に正プリチャージ信号ＶＰＲＣ＋が供給され、４個の信号線群の残りに画像信号が供給され、後期間には正プリチャージ信号ＶＰＲＣ＋が供給された４個の信号線群の一部に画像信号が供給されている。この際に、水平走査期間毎に正プリチャージ信号ＶＰＲＣ＋が供給される信号線群が変わって行くので、第１の水平走査期間から第４の水平走査期間迄の期間に４個の信号線群の総てに正プリチャージ信号ＶＰＲＣ＋が同じ回数供給されている。本実施形態では、４個の信号線群の総てに、４回の水平走査期間に２回の割合で、正プリチャージ信号ＶＰＲＣ＋が供給されている。以降、第１の水平走査期間から第４の水平走査期間迄のサイクルが全水平走査期間に対して繰り返される。尚、本明細書では、信号線２３にプリチャージ信号ＶＰＲＣが供給される事をプリチャージ動作と称する。
【００５６】
図５に示される様に、プリチャージ動作が実施される信号線群は一水平走査期間毎に異なっており、各信号線群に於いて、信号線群の数ｋのＩ倍（Ｉは０よりも大きい値）の水平走査期間で以て一巡する構成とされるのが好ましい。要するに、各信号線群にてｋＩ回の水平走査期間毎にプリチャージ動作が実施されるのが好ましい。本実施形態では、総ての信号線２３に関して、信号線群の数（ｋ＝４）の０．５倍（Ｉ＝０．５）の４水平走査期間毎にプリチャージ動作が実施されている。これは、後に詳述する様に、プリチャージ動作は１水平走査期間に１回としなくてもクロストークは抑制されるからである。又、プリチャージ動作時の制御装置３０に於ける駆動負荷（選択状態の信号電位とすべき容量）は、従来構成と比較して、軽減されるので、消費電力も削減される。
【００５７】
次に、図６を参照して、負極性駆動を説明する。負極性駆動も図５を参照して説明した正極性駆動と同様である。即ち、負極性駆動時には正プリチャージ系列信号ＰＰＲＣは総て常に非選択状態となり、負プリチャージ系列信号ＮＰＲＣの一部が選択状態となり得る。
【００５８】
図６に示す様に、第１の水平走査期間では、プリチャージ信号ＶＰＲＣを供給する際に、第１負プリチャージ系列信号ＮＰＲＣ１から第ｋ負プリチャージ系列信号ＮＰＲＣｋの少なくとも一つを非選択信号とする。即ち、プリチャージ信号ＶＰＲＣを供給する際にｋ個の信号線群の内の２つの信号線群（第１の水平走査期間では、第３系列信号線群と第４系列信号線群と）にだけプリチャージ信号ＶＰＲＣが供給され、残りの２つの信号線群（第１の水平走査期間では、第１系列信号線群と第２系列信号線群と）にはプリチャージ信号ＶＰＲＣは供給されていない。例えば、ｉ行目の走査線Ｇｉが選択された第１の水平走査期間では、前期間に第３負プリチャージ系列信号ＮＰＲＣ３と第４負プリチャージ系列信号ＮＰＲＣ４とが選択状態となって、（ｊｋ＋３）列目の信号線Ｓｊｋ＋３と（ｊｋ＋４）列目の信号線Ｓｊｋ＋４とに負プリチャージ信号ＶＰＲＣ−が供給される。その他の第１負プリチャージ系列信号ＮＰＲＣ１と第２負プリチャージ系列信号ＮＰＲＣ２、及び総ての正プリチャージ系列信号ＰＰＲＣは非選択状態となっている。第１の水平走査期間の前期間には、第１画像系列信号ＳＥＬ１から第２画像系列信号ＳＥＬ２が順次、時系列に選択状態となって、（ｊｋ＋１）列目の信号線Ｓｊｋ＋１に第１系列の画像信号として第ｊ元信号ＯＳｊが供給されたのに続き、（ｊｋ＋２）列目の信号線Ｓｊｋ＋２に第２系列の画像信号として第ｊ元信号ＯＳｊが供給される。第１の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第３画像系列信号ＳＥＬ３から第４画像系列信号ＳＥＬ４が順次、時系列に選択状態となって、（ｊｋ＋３）列目の信号線Ｓｊｋ＋３に第３系列の画像信号として第ｊ元信号ＯＳｊが供給されたのに続き、（ｊｋ＋４）列目の信号線Ｓｊｋ＋４に第４系列の画像信号として第ｊ元信号ＯＳｊが供給される。
【００５９】
第２の水平走査期間でも、負プリチャージ系列信号ＮＰＲＣを供給する際に、第１負プリチャージ系列信号ＮＰＲＣ１から第ｋ負プリチャージ系列信号ＮＰＲＣｋの少なくとも一つを非選択信号とし、その際に第１の水平走査期間で非選択信号としたプリチャージ系列信号と第２の水平走査期間で非選択信号とするプリチャージ系列信号とを異なる様にする。この例の場合、ｉ＋１行目の走査線Ｇｉ＋１が選択された水平走査期間が第２の水平走査期間となるが、この水平走査期間では、プリチャージ信号ＶＰＲＣを供給する際にｋ個の信号線群の内の２つの信号線群（この例では、第４系列信号線群と第１系列信号線群と）にだけプリチャージ信号ＶＰＲＣが供給され、残りの２つの信号線群（この例では、第２系列信号線群と第３系列信号線群と）にはプリチャージ信号ＶＰＲＣは供給されていない。その際に、第１の水平走査期間にプリチャージ信号ＶＰＲＣが供給される信号線と第２の水平走査期間にプリチャージ信号ＶＰＲＣが供給される信号線とが変えられている。実際に、第２の水平走査期間では、前期間に第４負プリチャージ系列信号ＮＰＲＣ４と第１負プリチャージ系列信号ＮＰＲＣ１とが選択状態となって、（ｊｋ＋４）列目の信号線Ｓｊｋ＋４と（ｊｋ＋１）列目の信号線Ｓｊｋ＋１とに負プリチャージ信号ＶＰＲＣ−が供給される。その他の第２負プリチャージ系列信号ＮＰＲＣ２と第３負プリチャージ系列信号ＮＰＲＣ３、及び総ての正プリチャージ系列信号ＰＰＲＣは非選択状態となっている。第２の水平走査期間の前期間には、第２画像系列信号ＳＥＬ２から第３画像系列信号ＳＥＬ３が順次、時系列に選択状態となって、（ｊｋ＋２）列目の信号線Ｓｊｋ＋２に第２系列の画像信号として第ｊ元信号ＯＳｊが供給されたのに続き、（ｊｋ＋３）列目の信号線Ｓｊｋ＋３に第３系列の画像信号として第ｊ元信号ＯＳｊが供給される。第２の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第４画像系列信号ＳＥＬ４から第１画像系列信号ＳＥＬ１が順次、時系列に選択状態となって、（ｊｋ＋４）列目の信号線Ｓｊｋ＋４に第４系列の画像信号として第ｊ元信号ＯＳｊが供給されたのに続き、（ｊｋ＋１）列目の信号線Ｓｊｋ＋１に第１系列の画像信号として第ｊ元信号ＯＳｊが供給される。
【００６０】
本実施形態ではｋ＝４であるので、図６に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では２個の信号線群）に負プリチャージ信号ＶＰＲＣ−が供給された後に画像信号が供給され、４個の信号線群の残りには負プリチャージ信号ＶＰＲＣ−が供給されずに画像信号が供給されている。言い換えると、４個の水平走査期間の各々で、前期間に４個の信号線群の一部（本実施形態では２個の信号線群）に負プリチャージ信号ＶＰＲＣ−が供給され、４個の信号線群の残りに画像信号が供給され、後期間には負プリチャージ信号ＶＰＲＣ−が供給された４個の信号線群の一部に画像信号が供給されている。この際に、水平走査期間毎に負プリチャージ信号ＶＰＲＣ−が供給される信号線群が変わって行くので、第１の水平走査期間から第４の水平走査期間迄の期間に４個の信号線群の総てに負プリチャージ信号ＶＰＲＣ−が同じ回数供給されている。本実施形態では、４個の信号線群の総てに、４回の水平走査期間に２回の割合で、負プリチャージ信号ＶＰＲＣ−が供給されている。以降、第１の水平走査期間から第４の水平走査期間迄のサイクルが全水平走査期間に対して繰り返される。
【００６１】
「クロストーク」
従来は、図１５に示す様に、総ての信号線２３に対して、１水平走査期間に１回の割合で、プリチャージ信号ＶＰＲＣが供給されていた。これにより縦方向に現れるクロストークが抑制されるからであった。本願発明者が鋭意研究した所に依ると、プリチャージ動作は１水平走査期間に１回としなくても、クロストーク抑制の効果が得られる事を実験で確認した。次にこの事を説明する。
【００６２】
図７はプリチャージ動作の頻度とクロストークとの関係を説明した図で、（ａ）はクロストークの定量方法を説明し、（ｂ）は評価結果の一例を示している。クロストークの定量は、図７（ａ）に示す様に、表示領域４２の中央部に５０％幅の黒ウインドウを表示した状態で、黒ウインドウの回りを背景階調輝度として１０％階調に設定する。その上で、背景階調輝度Ｂとクロストーク部輝度Ｃとの差の背景階調輝度Ｂに対する比をクロストーク量とする（（Ｂ−Ｃ）／Ｂ×１００）。実験では、プリチャージ動作の頻度を変えながらこのクロストーク量を測定した。測定結果は図７（ｂ）に示されている。
【００６３】
図７（ｂ）に示されている様に、プリチャージ動作がない場合（図７（ｂ）では「ＰＲＣなし」と記載）には２５％程度のクロストーク量が計測された。これに対して、プリチャージ動作を１水平走査期間に１回（従来技術に相当、図７（ｂ）では「１Ｈに１回」と記載）から３２水平走査期間に１回（図７（ｂ）では「３２Ｈに１回」と記載）の割合で行うと、いずれもクロストーク量は２％程度で、殆ど同等にクロストーク量が抑制された。プリチャージ動作の頻度を３２水平走査期間に１回よりも少なくすると、漸次クロストーク量が増加する傾向を見せた。例えば、６４水平走査期間に１回（図７（ｂ）では「６４Ｈに１回」と記載）とするとクロストーク量は６％程度へと増大した。クロストーク量が概ね３％を超えると、多くの人にクロストークとして視認されるので、クロストーク量は３％未満とされると高品位な画像となる。
【００６４】
従って、高品位な画像を表示する為に、駆動部５０は、一垂直走査期間中に、ｋ個の信号線群の各々に対して、複数回のプリチャージ信号ＶＰＲＣを供給するが、あるプリチャージ信号ＶＰＲＣが供給された後に次のプリチャージ信号ＶＰＲＣが供給される迄の期間を３２水平走査期間以下とする。斯うすると、図７（ｂ）に示される様に、クロストークが抑制されるからである。
【００６５】
プリチャージ動作は、前述の如く、信号線群の数ｋのＩ倍の水平走査期間で以て一巡する構成とされる。即ち、各信号線２３に関して、ｋＩ個の水平走査期間毎に１回プリチャージ動作が行われる。この際に、図７（ｂ）に示されている様に、ｋＩの値は１よりも大きく、３２よりも小さくする。即ち、プリチャージ動作は総ての水平走査期間については行われないが（１＜ｋＩ）、少なくとも３２水平走査期間に１回は行われる（ｋＩ≦３２）。これを実現する為に、一垂直走査期間には、ｋ個の信号線群の総てにプリチャージ信号ＶＰＲＣが供給されずに画像信号のみが供給される水平走査期間が含まれる事が好ましい。例えば、プリチャージ動作を１６水平走査期間に１回行う場合（ｋＩ＝１６、この例ではｋ＝４、Ｉ＝４）、１６水平走査期間の内の四つは、図５に示す様な、第１の水平走査期間（第１系列信号線群のみにプリチャージ信号ＶＰＲＣを供給）と第２の水平走査期間（第２系列信号線群のみにプリチャージ信号ＶＰＲＣを供給）と第３の水平走査期間（第３系列信号線群のみにプリチャージ信号ＶＰＲＣを供給）と第４の水平走査期間（第４系列信号線群のみにプリチャージ信号ＶＰＲＣを供給）とし、残りの１２水平走査期間では、総ての信号線２３にプリチャージ信号ＶＰＲＣを供給せずに画像信号のみを供給する。プリチャージ信号ＶＰＲＣを供給しない水平走査期間が垂直走査期間に含まれるので、プリチャージ動作の回数が減らされる事になる。斯うしてクロストークを抑制すると共に、低消費電力化と高速駆動とを実現する事ができる。
【００６６】
尚、本実施形態が示す様に、Ｉの値は１よりも小さくても構わない。本実施形態では、Ｉ＝０．５で、ｋ＝４であるので、２水平走査期間に１回の割合で各信号線２３にプリチャージ信号ＶＰＲＣが供給されている。
【００６７】
「プリチャージ期間」
図５や図６に示す本実施形態の電気光学装置２０の駆動方法では、図１５に示された従来技術の駆動方法と比べて、プリチャージ期間を短縮する事ができる。これは、プリチャージ動作時の制御装置３０に於ける駆動負荷（選択状態の信号電位とすべき容量）を、従来構成と比較して、Ｉが１以下の際にはｋＩ分の一（１／ｋＩ）に軽減され、Ｉが１以上の際にはｋ分の一（１／ｋ）に軽減されるので、プリチャージ動作の対象となる配線への時定数（配線抵抗と容量との積）が従来の時定数の１／ｋＩから１／ｋ程度へと小さくなるからである。従って、プリチャージ期間を、理論上は、従来のプリチャージ期間の１／ｋＩから１／ｋ程度とする事ができる。
【００６８】
これとは反対に、図５や図６に示す本実施形態の電気光学装置２０の駆動方法では、図１５に示された従来技術の駆動方法と比べて、プリチャージ期間を長くする事もできる。これは、ある水平走査期間の前期間にプリチャージ動作がなされ、それに平行してプリチャージされない信号線群には画像信号を導入できるからである。
【００６９】
従って、駆動部５０は、プリチャージ信号ＶＰＲＣの供給期間（プリチャージ期間）と画像信号の供給期間（画像期間）とを制御する。例えば、駆動部５０は、図１５に示す様なプリチャージ信号ＶＰＲＣに続いて画像信号が供給されるシリアル駆動方法に比べて、プリチャージ期間を前期間の殆どの期間とシリアル駆動方法でのプリチャージ期間よりも長くし、同時に画像信号の供給期間もシリアル駆動方法での画像信号供給期間よりも長くする事が好ましい。斯うすると、プリチャージ信号ＶＰＲＣが正確に供給される上、各画素に正確な画像信号が供給される事が可能となるからである。
【００７０】
「他の電子機器」
電気光学装置２０は上述の駆動方法で駆動されるが、この電気光学装置２０を組み込んだ電子機器としては、図１を参照して説明したプロジェクターの他にも、リアプロジェクション型テレビ、直視型テレビ、携帯電話、携帯用オーディオ機器、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチルカメラなどを挙げる事ができる。
【００７１】
（実施形態２）
「プリチャージ動作の割合が異なる形態１」
図８は、実施形態２に係わる駆動方法を説明するタイミングチャートの一例で、正極性駆動時のタイミングチャートを表している。又、図９は、実施形態２に係わる駆動方法を説明するタイミングチャートの一例で、負極性駆動時のタイミングチャートを表している。次に、図８と図９とを参照して、実施形態２に係わる電気光学装置２０の駆動方法を説明する。尚、実施形態１と同一の構成部位については、同一の符号を附し、重複する説明は省略する。
【００７２】
図８と図９とに示す本実施形態の電気光学装置２０の駆動方法は、図５と図６とに示された実施形態１の電気光学装置２０の駆動方法と比べて、プリチャージ動作が行われる頻度が異なっている。それ以外の構成は、実施形態１とほぼ同様である。
【００７３】
実施形態１の電気光学装置２０の駆動方法（図５と図６と）では、Ｉ＝０．５で４水平走査期間に２回の割合でプリチャージ動作がなされていた。これに対して、本実施形態の電気光学装置２０の駆動方法（図８と図９と）では、Ｉ＝１で、４水平走査期間に１回の割合でプリチャージ動作がなされる。
【００７４】
まず、図８を参照して、正極性駆動を説明する。正極性駆動時には負プリチャージ系列信号ＮＰＲＣは総て常に非選択状態となり、正プリチャージ系列信号ＰＰＲＣの一部が選択状態となり得る。
【００７５】
図８に示す様に、ｉ行目の走査線Ｇｉが選択された第１の水平走査期間では、前期間に第４正プリチャージ系列信号ＰＰＲＣ４が選択状態となって、（ｊｋ＋４）列目の信号線Ｓｊｋ＋４に正プリチャージ信号ＶＰＲＣ＋が供給される。その他の第１正プリチャージ系列信号ＰＰＲＣ１と第２正プリチャージ系列信号ＰＰＲＣ２と第３正プリチャージ系列信号ＰＰＲＣ３、及び総ての負プリチャージ系列信号ＮＰＲＣは非選択状態となっている。第１の水平走査期間の前期間には、第１画像系列信号ＳＥＬ１から第３画像系列信号ＳＥＬ３が順次、時系列に選択状態となって、（ｊｋ＋１）列目の信号線Ｓｊｋ＋１に第１系列の画像信号として第ｊ元信号ＯＳｊが供給されたのに続き、（ｊｋ＋２）列目の信号線Ｓｊｋ＋２に第２系列の画像信号として第ｊ元信号ＯＳｊが供給され、更に（ｊｋ＋３）列目の信号線Ｓｊｋ＋３に第３系列の画像信号として第ｊ元信号ＯＳｊが供給される。第１の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第４画像系列信号ＳＥＬ４が選択状態となって、（ｊｋ＋４）列目の信号線Ｓｊｋ＋４に第４系列の画像信号として第ｊ元信号ＯＳｊが供給される。
【００７６】
ｉ＋１行目の走査線Ｇｉ＋１が選択された第２の水平走査期間では、前期間に第１正プリチャージ系列信号ＰＰＲＣ１が選択状態となって、（ｊｋ＋１）列目の信号線Ｓｊｋ＋１に正プリチャージ信号ＶＰＲＣ＋が供給される。その他の第２正プリチャージ系列信号ＰＰＲＣ２と第３正プリチャージ系列信号ＰＰＲＣ３と第４正プリチャージ系列信号ＰＰＲＣ４、及び総ての負プリチャージ系列信号ＮＰＲＣは非選択状態となっている。第２の水平走査期間の前期間には、第２画像系列信号ＳＥＬ２から第４画像系列信号ＳＥＬ４が順次、時系列に選択状態となって、（ｊｋ＋２）列目の信号線Ｓｊｋ＋２に第２系列の画像信号として第ｊ元信号ＯＳｊが供給されたのに続き、（ｊｋ＋３）列目の信号線Ｓｊｋ＋３に第３系列の画像信号として第ｊ元信号ＯＳｊが供給され、更に（ｊｋ＋４）列目の信号線Ｓｊｋ＋４に第４系列の画像信号として第ｊ元信号ＯＳｊが供給される。第２の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第１画像系列信号ＳＥＬ１が選択状態となって、（ｊｋ＋１）列目の信号線Ｓｊｋ＋１に第４系列の画像信号として第ｊ元信号ＯＳｊが供給される。
【００７７】
本実施形態ではｋ＝４であるので、図８に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では１個の信号線群）に正プリチャージ信号ＶＰＲＣ＋が供給された後に画像信号が供給され、４個の信号線群の残りには正プリチャージ信号ＶＰＲＣ＋が供給されずに画像信号が供給されている。言い換えると、４個の水平走査期間の各々で、前期間に４個の信号線群の一部（本実施形態では１個の信号線群）に正プリチャージ信号ＶＰＲＣ＋が供給され、４個の信号線群の残りに画像信号が供給され、後期間には正プリチャージ信号ＶＰＲＣ＋が供給された４個の信号線群の一部に画像信号が供給されている。この際に、水平走査期間毎に正プリチャージ信号ＶＰＲＣ＋が供給される信号線群が変わって行くので、第１の水平走査期間から第４の水平走査期間迄の期間に４個の信号線群の総てに正プリチャージ信号ＶＰＲＣ＋が同じ回数供給されている。本実施形態では、４個の信号線群の総てに、４回の水平走査期間に１回の割合で、正プリチャージ信号ＶＰＲＣ＋が供給されている。以降、第１の水平走査期間から第４の水平走査期間迄のサイクルが全水平走査期間に対して繰り返される。
【００７８】
次に、図９を参照して、負極性駆動を説明する。負極性駆動時には正プリチャージ系列信号ＰＰＲＣは総て常に非選択状態となり、負プリチャージ系列信号ＮＰＲＣの一部が選択状態となり得る。
【００７９】
図９に示す様に、ｉ行目の走査線Ｇｉが選択された第１の水平走査期間では、前期間に第４負プリチャージ系列信号ＮＰＲＣ４が選択状態となって、（ｊｋ＋４）列目の信号線Ｓｊｋ＋４に負プリチャージ信号ＶＰＲＣ−が供給される。その他の第１負プリチャージ系列信号ＮＰＲＣ１と第２負プリチャージ系列信号ＮＰＲＣ２と第３負プリチャージ系列信号ＮＰＲＣ３、及び総ての正プリチャージ系列信号ＰＰＲＣは非選択状態となっている。第１の水平走査期間の前期間には、第１画像系列信号ＳＥＬ１から第３画像系列信号ＳＥＬ３が順次、時系列に選択状態となって、（ｊｋ＋１）列目の信号線Ｓｊｋ＋１に第１系列の画像信号として第ｊ元信号ＯＳｊが供給されたのに続き、（ｊｋ＋２）列目の信号線Ｓｊｋ＋２に第２系列の画像信号として第ｊ元信号ＯＳｊが供給され、更に（ｊｋ＋３）列目の信号線Ｓｊｋ＋３に第３系列の画像信号として第ｊ元信号ＯＳｊが供給される。第１の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第４画像系列信号ＳＥＬ４が選択状態となって、（ｊｋ＋４）列目の信号線Ｓｊｋ＋４に第４系列の画像信号として第ｊ元信号ＯＳｊが供給される。
【００８０】
ｉ＋１行目の走査線Ｇｉ＋１が選択された第２の水平走査期間では、前期間に第１負プリチャージ系列信号ＮＰＲＣ１が選択状態となって、（ｊｋ＋１）列目の信号線Ｓｊｋ＋１に負プリチャージ信号ＶＰＲＣ−が供給される。その他の第２負プリチャージ系列信号ＮＰＲＣ２と第３負プリチャージ系列信号ＮＰＲＣ３と第４負プリチャージ系列信号ＮＰＲＣ４、及び総ての正プリチャージ系列信号ＰＰＲＣは非選択状態となっている。第２の水平走査期間の前期間には、第２画像系列信号ＳＥＬ２から第４画像系列信号ＳＥＬ４が順次、時系列に選択状態となって、（ｊｋ＋２）列目の信号線Ｓｊｋ＋２に第２系列の画像信号として第ｊ元信号ＯＳｊが供給されたのに続き、（ｊｋ＋３）列目の信号線Ｓｊｋ＋３に第３系列の画像信号として第ｊ元信号ＯＳｊが供給され、更に（ｊｋ＋４）列目の信号線Ｓｊｋ＋４に第４系列の画像信号として第ｊ元信号ＯＳｊが供給される。第２の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第１画像系列信号ＳＥＬ１が選択状態となって、（ｊｋ＋１）列目の信号線Ｓｊｋ＋１に第４系列の画像信号として第ｊ元信号ＯＳｊが供給される。
【００８１】
本実施形態ではｋ＝４であるので、図９に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では１個の信号線群）に負プリチャージ信号ＶＰＲＣ−が供給された後に画像信号が供給され、４個の信号線群の残りには負プリチャージ信号ＶＰＲＣ−が供給されずに画像信号が供給されている。言い換えると、４個の水平走査期間の各々で、前期間に４個の信号線群の一部（本実施形態では１個の信号線群）に負プリチャージ信号ＶＰＲＣ−が供給され、４個の信号線群の残りに画像信号が供給され、後期間には負プリチャージ信号ＶＰＲＣ−が供給された４個の信号線群の一部に画像信号が供給されている。この際に、水平走査期間毎に負プリチャージ信号ＶＰＲＣ−が供給される信号線群が変わって行くので、第１の水平走査期間から第４の水平走査期間迄の期間に４個の信号線群の総てに負プリチャージ信号ＶＰＲＣ−が同じ回数供給されている。本実施形態では、４個の信号線群の総てに、４回の水平走査期間に１回の割合で、負プリチャージ信号ＶＰＲＣ−が供給されている。以降、第１の水平走査期間から第４の水平走査期間迄のサイクルが全水平走査期間に対して繰り返される。
【００８２】
本実施形態では実施形態１に比べてプリチャージ動作が減っているので、高品位な画像を表示すると共に、更に消費電力を削減する事ができる。
【００８３】
（実施形態３）
「プリチャージ動作の割合が異なる形態２」
図１０は、実施形態３に係わる駆動方法を説明するタイミングチャートの一例で、正極性駆動時のタイミングチャートを表している。又、図１１は、実施形態３に係わる駆動方法を説明するタイミングチャートの一例で、負極性駆動時のタイミングチャートを表している。次に、図１０と図１１とを参照して、実施形態３に係わる電気光学装置２０の駆動方法を説明する。尚、実施形態１と同一の構成部位については、同一の符号を附し、重複する説明は省略する。
【００８４】
図１０と図１１とに示す本実施形態の電気光学装置２０の駆動方法は、図５と図６とに示された実施形態１の電気光学装置２０の駆動方法と比べて、プリチャージ動作が行われる頻度が異なっている。それ以外の構成は、実施形態１とほぼ同様である。
【００８５】
実施形態１の電気光学装置２０の駆動方法（図５と図６と）では、Ｉ＝０．５で４水平走査期間に２回の割合でプリチャージ動作がなされていた。これに対して、本実施形態の電気光学装置２０の駆動方法（図１０と図１１と）では、Ｉ＝１／３で、４／３水平走査期間に１回の割合で各信号線２３にプリチャージ信号ＶＰＲＣが供給される事になる。即ち、４水平走査期間に３回の割合で各信号線２３にプリチャージ信号ＶＰＲＣが供給される事になる。この場合、第１の水平走査期間で第２系列信号線群と第３系列信号線群と第４系列信号線群とにプリチャージ信号ＶＰＲＣが供給され、第２の水平走査期間で第１系列信号線群と第３系列信号線群と第４系列信号線群とにプリチャージ信号ＶＰＲＣが供給され、第３の水平走査期間で第１系列信号線群と第２系列信号線群と第４系列信号線群とにプリチャージ信号ＶＰＲＣが供給され、第４の水平走査期間で第１系列信号線群と第２系列信号線群と第３系列信号線群とにプリチャージ信号ＶＰＲＣが供給される。斯うすると、４水平走査期間に３回の割合で各信号線２３にプリチャージ信号ＶＰＲＣが供給される。
【００８６】
まず、図１０を参照して、正極性駆動を説明する。正極性駆動時には負プリチャージ系列信号ＮＰＲＣは総て常に非選択状態となり、正プリチャージ系列信号ＰＰＲＣの一部が選択状態となり得る。
【００８７】
図１０に示す様に、ｉ行目の走査線Ｇｉが選択された第１の水平走査期間では、前期間に第２正プリチャージ系列信号ＰＰＲＣ２と第３正プリチャージ系列信号ＰＰＲＣ３と第４正プリチャージ系列信号ＰＰＲＣ４が選択状態となって、（ｊｋ＋２）列目の信号線Ｓｊｋ＋２と（ｊｋ＋３）列目の信号線Ｓｊｋ＋３と（ｊｋ＋４）列目の信号線Ｓｊｋ＋４とに正プリチャージ信号ＶＰＲＣ＋が供給される。その他の第１正プリチャージ系列信号ＰＰＲＣ１、及び総ての負プリチャージ系列信号ＮＰＲＣは非選択状態となっている。第１の水平走査期間の前期間には、第１画像系列信号ＳＥＬ１が選択状態となって、（ｊｋ＋１）列目の信号線Ｓｊｋ＋１に第１系列の画像信号として第ｊ元信号ＯＳｊが供給される。第１の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第２画像系列信号ＳＥＬ２と第３画像系列信号ＳＥＬ３と第４画像系列信号ＳＥＬ４とが順次時系列に選択状態となって、（ｊｋ＋２）列目の信号線Ｓｊｋ＋２に第２系列の画像信号として第ｊ元信号ＯＳｊが供給され、次いで（ｊｋ＋３）列目の信号線Ｓｊｋ＋３に第３系列の画像信号として第ｊ元信号ＯＳｊが供給され、次いで（ｊｋ＋４）列目の信号線Ｓｊｋ＋４に第４系列の画像信号として第ｊ元信号ＯＳｊが供給される。
【００８８】
ｉ＋１行目の走査線Ｇｉ＋１が選択された第２の水平走査期間では、前期間に第１正プリチャージ系列信号ＰＰＲＣ１と第３正プリチャージ系列信号ＰＰＲＣ３と第４正プリチャージ系列信号ＰＰＲＣ４が選択状態となって、（ｊｋ＋１）列目の信号線Ｓｊｋ＋１と（ｊｋ＋３）列目の信号線Ｓｊｋ＋３と（ｊｋ＋４）列目の信号線Ｓｊｋ＋４とに正プリチャージ信号ＶＰＲＣ＋が供給される。その他の第２正プリチャージ系列信号ＰＰＲＣ２、及び総ての負プリチャージ系列信号ＮＰＲＣは非選択状態となっている。第２の水平走査期間の前期間には、第２画像系列信号ＳＥＬ２が選択状態となって、（ｊｋ＋２）列目の信号線Ｓｊｋ＋２に第２系列の画像信号として第ｊ元信号ＯＳｊが供給される。第２の水平走査期間の後期間には、すべてのプリチャージ系列信号ＰＲＣ（総ての正プリチャージ系列信号ＰＰＲＣ及び総ての負プリチャージ系列信号ＮＰＲＣ）が非選択状態となっていずれの信号線２３にもプリチャージ信号ＶＰＲＣは供給されない。この状態で、第３画像系列信号ＳＥＬ３と第４画像系列信号ＳＥＬ４と第１画像系列信号ＳＥＬ１とが順次時系列に選択状態となって、（ｊｋ＋３）列目の信号線Ｓｊｋ＋３に第３系列の画像信号として第ｊ元信号ＯＳｊが供給され、次いで（ｊｋ＋４）列目の信号線Ｓｊｋ＋４に第４系列の画像信号として第ｊ元信号ＯＳｊが供給され、次いで（ｊｋ＋１）列目の信号線Ｓｊｋ＋１に第１系列の画像信号として第ｊ元信号ＯＳｊが供給される。
【００８９】
本実施形態ではｋ＝４であるので、図１０に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では３個の信号線群）に正プリチャージ信号ＶＰＲＣ＋が供給された後に画像信号が供給され、４個の信号線群の残りには正プリチャージ信号ＶＰＲＣ＋が供給されずに画像信号が供給されている。言い換えると、４個の水平走査期間の各々で、前期間に４個の信号線群の一部（本実施形態では３個の信号線群）に正プリチャージ信号ＶＰＲＣ＋が供給され、４個の信号線群の残りに画像信号が供給され、後期間には正プリチャージ信号ＶＰＲＣ＋が供給された４個の信号線群の一部に画像信号が供給されている。この際に、水平走査期間毎に正プリチャージ信号ＶＰＲＣ＋が供給される信号線群が変わって行くので、第１の水平走査期間から第４の水平走査期間迄の期間に４個の信号線群の総てに正プリチャージ信号ＶＰＲＣ＋が同じ回数供給されている。本実施形態では、４個の信号線群の総てに、４回の水平走査期間に３回の割合で、正プリチャージ信号ＶＰＲＣ＋が供給されている。以降、第１の水平走査期間から第４の水平走査期間迄のサイクルが全水平走査期間に対して繰り返される。
【００９０】
次に、図１１を参照して、負極性駆動を説明する。負極性駆動時には正プリチャージ系列信号ＰＰＲＣは総て常に非選択状態となり、負プリチャージ系列信号ＮＰＲＣの一部が選択状態となり得る。
【００９１】
図１１に示す様に、ｉ行目の走査線Ｇｉが選択された第１の水平走査期間では、前期間に第２負プリチャージ系列信号ＮＰＲＣ２と第３負プリチャージ系列信号ＮＰＲＣ３と第４負プリチャージ系列信号ＮＰＲＣ４が選択状態となって、（ｊｋ＋２）列目の信号線Ｓｊｋ＋２と（ｊｋ＋３）列目の信号線Ｓｊｋ＋３と（ｊｋ＋４）列目の信号線Ｓｊｋ＋４とに負プリチャージ信号ＶＰＲＣ−が供給される。その他の第１負プリチャージ系列信号ＮＰＲＣ１、及び総ての正プリチャージ系列信号ＰＰＲＣは非選択状態となっている。第１の水平走査期間の前期間には、第１画像系列信号ＳＥＬ１が選択状態となって、（ｊｋ＋１）列目の信号線Ｓｊｋ＋１に第１系列の画像信号として第ｊ元信号ＯＳｊが供給される。第１の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第２画像系列信号ＳＥＬ２と第３画像系列信号ＳＥＬ３と第４画像系列信号ＳＥＬ４とが順次時系列に選択状態となって、（ｊｋ＋２）列目の信号線Ｓｊｋ＋２に第２系列の画像信号として第ｊ元信号ＯＳｊが供給され、次いで（ｊｋ＋３）列目の信号線Ｓｊｋ＋３に第３系列の画像信号として第ｊ元信号ＯＳｊが供給され、次いで（ｊｋ＋４）列目の信号線Ｓｊｋ＋４に第４系列の画像信号として第ｊ元信号ＯＳｊが供給される。
【００９２】
ｉ＋１行目の走査線Ｇｉ＋１が選択された第２の水平走査期間では、前期間に第１負プリチャージ系列信号ＮＰＲＣ１と第３負プリチャージ系列信号ＮＰＲＣ３と第４負プリチャージ系列信号ＮＰＲＣ４が選択状態となって、（ｊｋ＋１）列目の信号線Ｓｊｋ＋１と（ｊｋ＋３）列目の信号線Ｓｊｋ＋３と（ｊｋ＋４）列目の信号線Ｓｊｋ＋４とに負プリチャージ信号ＶＰＲＣ−が供給される。その他の第２負プリチャージ系列信号ＮＰＲＣ２、及び総ての正プリチャージ系列信号ＰＰＲＣは非選択状態となっている。第２の水平走査期間の前期間には、第２画像系列信号ＳＥＬ２が選択状態となって、（ｊｋ＋２）列目の信号線Ｓｊｋ＋２に第２系列の画像信号として第ｊ元信号ＯＳｊが供給される。第２の水平走査期間の後期間には、すべてのプリチャージ系列信号ＰＲＣ（総ての負プリチャージ系列信号ＮＰＲＣ及び総ての正プリチャージ系列信号ＰＰＲＣ）が非選択状態となっていずれの信号線２３にもプリチャージ信号ＶＰＲＣは供給されない。この状態で、第３画像系列信号ＳＥＬ３と第４画像系列信号ＳＥＬ４と第１画像系列信号ＳＥＬ１とが順次時系列に選択状態となって、（ｊｋ＋３）列目の信号線Ｓｊｋ＋３に第３系列の画像信号として第ｊ元信号ＯＳｊが供給され、次いで（ｊｋ＋４）列目の信号線Ｓｊｋ＋４に第４系列の画像信号として第ｊ元信号ＯＳｊが供給され、次いで（ｊｋ＋１）列目の信号線Ｓｊｋ＋１に第１系列の画像信号として第ｊ元信号ＯＳｊが供給される。
【００９３】
本実施形態ではｋ＝４であるので、図１１に示す様に、１回の垂直走査期間には第１の水平走査期間から第４の水平走査期間迄の４個の水平走査期間が含まれている。第１の水平走査期間はｉ行目の走査線Ｇｉが選択される走査期間であり、第２の水平走査期間はｉ＋１行目の走査線Ｇｉ＋１が選択される走査期間であり、第３の水平走査期間はｉ＋２行目の走査線Ｇｉ＋２が選択される走査期間であり、第４の水平走査期間はｉ＋３行目の走査線Ｇｉ＋３が選択される走査期間である。４個の水平走査期間の各々で、４個の信号線群の一部（本実施形態では３個の信号線群）に負プリチャージ信号ＶＰＲＣ−が供給された後に画像信号が供給され、４個の信号線群の残りには負プリチャージ信号ＶＰＲＣ−が供給されずに画像信号が供給されている。言い換えると、４個の水平走査期間の各々で、前期間に４個の信号線群の一部（本実施形態では３個の信号線群）に負プリチャージ信号ＶＰＲＣ−が供給され、４個の信号線群の残りに画像信号が供給され、後期間には負プリチャージ信号ＶＰＲＣ−が供給された４個の信号線群の一部に画像信号が供給されている。この際に、水平走査期間毎に負プリチャージ信号ＶＰＲＣ−が供給される信号線群が変わって行くので、第１の水平走査期間から第４の水平走査期間迄の期間に４個の信号線群の総てに負プリチャージ信号ＶＰＲＣ−が同じ回数供給されている。本実施形態では、４個の信号線群の総てに、４回の水平走査期間に３回の割合で、負プリチャージ信号ＶＰＲＣ−が供給されている。以降、第１の水平走査期間から第４の水平走査期間迄のサイクルが全水平走査期間に対して繰り返される。
【００９４】
上述の様に本実施形態では、プリチャージ動作は４回の水平走査期間に３回の割合となっている。プリチャージ動作を行っているが、各水平走査期間に専用のプリチャージ期間を設ける必要がないので、高速駆動を実現する事が可能である。又プリチャージ動作の頻度が実施形態１と比べて増えているので、クロストークがより抑制される。
【００９５】
（実施形態４）
「プリチャージ回路が異なる形態」
図１２は、実施形態４に係わる信号線駆動回路の回路構成を説明した図である。又、図１３は、実施形態４に係わる駆動方法を説明するタイミングチャートの一例で、正極性駆動時のタイミングチャートを表している。又、図１４は、実施形態４に係わる駆動方法を説明するタイミングチャートの一例で、負極性駆動時のタイミングチャートを表している。次に、図１２乃至１４を参照して、実施形態４に係わる電気光学装置２０とその駆動方法を説明する。尚、実施形態１乃至３と同一の構成部位については、同一の符号を附し、重複する説明は省略する。
【００９６】
図１２に示す本実施形態の電気光学装置２０に使用される信号線駆動回路５３は、図４に示された実施形態１乃至３の電気光学装置２０に使用される信号線駆動回路５３と比べて、プリチャージ回路５３１の構成が異なっている。それに伴って、本実施形態の電気光学装置２０の駆動方法も実施形態１乃至３の電気光学装置２０の駆動方法から若干異なる。それ以外の構成は、実施形態１乃至３とほぼ同様である。
【００９７】
本実施形態の電気光学装置２０に使用されるプリチャージ回路５３１は、ｋ種類のプリチャージ系列信号ＰＲＣに対応するｋ本のプリチャージ系列線と、プリチャージ信号ＶＰＲＣが供給されるプリチャージ信号ＶＰＲＣ線と、が配線されている。プリチャージ信号ＶＰＲＣには、正プリチャージ信号ＶＰＲＣ＋と負プリチャージ信号ＶＰＲＣ−とがある。
【００９８】
第ｐプリチャージ系列線には第ｐプリチャージ系列信号ＰＲＣｐが供給される（ｐは１からｋ迄の任意の整数）。例えば、第１プリチャージ系列線には第１プリチャージ系列信号ＰＲＣ１が供給され、第２プリチャージ系列線には第２プリチャージ系列信号ＰＲＣ２が供給され、以下同様にして、第ｋプリチャージ系列線には第ｋプリチャージ系列信号ＰＲＣｋが供給される。プリチャージ信号ＶＰＲＣ線には正プリチャージ信号ＶＰＲＣ＋が供給される。
【００９９】
プリチャージ回路５３１には、ｑ＋１個（即ち、ｎ／ｋ個）の第１プリチャージスイッチＰＳ１からｑ＋１個（即ち、ｎ／ｋ個）の第ｋプリチャージスイッチＰＳｋが含まれている。第１プリチャージスイッチＰＳ１から第ｋプリチャージスイッチＰＳｋは、画素トランジスター２４と同様に、薄膜トランジスターで形成されている。第ｐプリチャージスイッチＰＳｐの一端（ソースとドレインとの一方）は（ｊｋ＋ｐ）列目の信号線Ｓｊｋ＋ｐに電気的に接続され、第ｐプリチャージスイッチＰＳｐの他端（ソースとドレインとの他方）はプリチャージ信号ＶＰＲＣ線に電気的に接続され、第ｐプリチャージスイッチＰＳｐのゲートは第ｐプリチャージ系列線に電気的に接続されている。従って、第ｐプリチャージ系列信号ＰＲＣｐが選択信号となれば、第ｐプリチャージスイッチＰＳｐはオン状態となり、（ｊｋ＋ｐ）列目の信号線Ｓｊｋ＋ｐには、プリチャージ信号ＶＰＲＣが供給される。プリチャージ信号ＶＰＲＣは、正極性駆動の際には正プリチャージ信号ＶＰＲＣ＋であり、負極性駆動の際には負プリチャージ信号ＶＰＲＣ−である。例えば、第１系列信号線群に属する１列目の信号線Ｓ１とプリチャージ信号ＶＰＲＣ線との間に第１プリチャージスイッチＰＳ１が配置され、第１プリチャージスイッチＰＳ１のゲートは第１プリチャージ系列線に電気的に接続されている。その為に、第１プリチャージ系列信号ＰＲＣ１が選択信号となれば、第１プリチャージスイッチＰＳ１はオン状態となり、１列目の信号線Ｓ１には、プリチャージ信号ＶＰＲＣが供給される。同様に、例えば、第４系列信号線群に属する４１１２列目の信号線Ｓ４１１２とプリチャージ信号ＶＰＲＣ線との間に第４プリチャージスイッチＰＳ４が配置され、第４プリチャージスイッチＰＳ４のゲートは第４プリチャージ系列線に電気的に接続されている。その為に、第４プリチャージ系列信号ＰＲＣ４が選択信号となれば、第４プリチャージスイッチＰＳ４はオン状態となり、４１１２列目の信号線Ｓ４１１２には、プリチャージ信号ＶＰＲＣが供給される。
【０１００】
図１３に示す様に、正極性駆動時にはプリチャージ信号ＶＰＲＣは正プリチャージ信号ＶＰＲＣ＋である。又、図１４に示す様に、負極性駆動時にはプリチャージ信号ＶＰＲＣは負プリチャージ信号ＶＰＲＣ−である。これ以外は、実施形態１乃至３と同様である。
【０１０１】
実施形態１乃至３では、正プリチャージ信号ＶＰＲＣ＋が供給される正プリチャージ信号ＶＰＲＣ線と負プリチャージ信号ＶＰＲＣ−が供給される負プリチャージ信号ＶＰＲＣ線とが別々に設けられていたので、正プリチャージ信号ＶＰＲＣ線や負プリチャージ信号ＶＰＲＣ線の電位は固定電位となり、正プリチャージ信号ＶＰＲＣ線や負プリチャージ信号ＶＰＲＣ線の電位が振られる必要性がなかった。その為に、低消費電力との利点が実施形態１乃至３では認められた。本実施形態では、これ以外の効果は総て実施形態１乃至３と同じ様に認められる上、簡単な回路構成で実施形態１乃至３で得られた効果を実現する事ができる。
【０１０２】
本発明は上述した実施形態に限定されず、上述した実施形態に種々の変更や改良などを加えることが可能である。変形例を以下に説明する。
【０１０３】
（変形例１）
「画像系列信号の順序が異なる形態」
実施形態１乃至４にて第１の水平走査期間から第４の水平走査期間に渡って、プリチャージ信号ＶＰＲＣが供給される順番の一例を示したが、この順番は任意である。又、画像信号を供給する順番も任意である。例えば以下の様に、第１の水平走査期間から第８の水平走査期間迄の８個の水平走査期間で一巡する構成として、電気光学装置２０を駆動しても良い。
【０１０４】
第１の水平走査期間では、第１系列信号線群から第２系列信号線群、第３系列信号線群、第４系列信号線群、との順番で画像信号が供給され、第１系列信号線群と第２系列信号線群とに画像信号が供給されている前期間に第３系列信号線群と第４系列信号線群とにプリチャージ信号ＶＰＲＣが供給される。第２の水平走査期間では、第１系列信号線群から第２系列信号線群、第３系列信号線群、第４系列信号線群、との順番で画像信号が供給され、第１系列信号線群と第２系列信号線群とに画像信号が供給されている前期間に第３系列信号線群と第４系列信号線群とにプリチャージ信号ＶＰＲＣが供給される。第３の水平走査期間では、第２系列信号線群から第３系列信号線群、第４系列信号線群、第１系列信号線群、との順番で画像信号が供給され、第２系列信号線群と第３系列信号線群とに画像信号が供給されている前期間に第４系列信号線群と第１系列信号線群とにプリチャージ信号ＶＰＲＣが供給される。第４の水平走査期間では、第２系列信号線群から第３系列信号線群、第４系列信号線群、第１系列信号線群、との順番で画像信号が供給され、第２系列信号線群と第３系列信号線群とに画像信号が供給されている前期間に第４系列信号線群と第１系列信号線群とにプリチャージ信号ＶＰＲＣが供給される。第５の水平走査期間では、第３系列信号線群から第４系列信号線群、第１系列信号線群、第２系列信号線群、との順番で画像信号が供給され、第３系列信号線群と第４系列信号線群とに画像信号が供給されている前期間に第１系列信号線群と第２系列信号線群とにプリチャージ信号ＶＰＲＣが供給される。第６の水平走査期間では、第３系列信号線群から第４系列信号線群、第１系列信号線群、第２系列信号線群、との順番で画像信号が供給され、第３系列信号線群と第４系列信号線群とに画像信号が供給されている前期間に第１系列信号線群と第２系列信号線群とにプリチャージ信号ＶＰＲＣが供給される。第７の水平走査期間では、第４系列信号線群から第１系列信号線群、第２系列信号線群、第３系列信号線群、との順番で画像信号が供給され、第４系列信号線群と第１系列信号線群とに画像信号が供給されている前期間に第２系列信号線群と第３系列信号線群とにプリチャージ信号ＶＰＲＣが供給される。第８の水平走査期間では、第４系列信号線群から第１系列信号線群、第２系列信号線群、第３系列信号線群、との順番で画像信号が供給され、第４系列信号線群と第１系列信号線群とに画像信号が供給されている前期間に第２系列信号線群と第３系列信号線群とにプリチャージ信号ＶＰＲＣが供給される。この様に、如何なる順番にて信号線群にプリチャージ信号ＶＰＲＣを供給するかは任意である。
【０１０５】
（変形例２）
「プリチャージ電位が異なる形態」
実施形態４では正プリチャージ信号ＶＰＲＣ＋と負プリチャージ信号ＶＰＲＣ−とが異なった値であったが、これは同じ値でも構わない。例えば、正プリチャージ信号ＶＰＲＣ＋と負プリチャージ信号ＶＰＲＣ−とを共通電位としても良い。
【符号の説明】
【０１０６】
Ｇｉ…ｉ行目の走査線、ＮＰＲＣ１…第１負プリチャージ系列信号、ＮＰＲＣ２…第２負プリチャージ系列信号、ＮＰＲＣ３…第３負プリチャージ系列信号、ＮＰＲＣ４…第４負プリチャージ系列信号、ＮＳＷ１…第１負プリチャージスイッチ、ＮＳＷ２…第２負プリチャージスイッチ、ＮＳＷ３…第３負プリチャージスイッチ、ＮＳＷ４…第４負プリチャージスイッチ、ＯＳｊ…第ｊ元信号、ＰＰＲＣ１…第１正プリチャージ系列信号、ＰＰＲＣ２…第２正プリチャージ系列信号、ＰＰＲＣ３…第３正プリチャージ系列信号、ＰＰＲＣ４…第４正プリチャージ系列信号、ＰＲＣ…プリチャージ系列信号、ＰＲＣ１…第１プリチャージ系列信号、ＰＲＣ２…第２プリチャージ系列信号、ＰＲＣ３…第３プリチャージ系列信号、ＰＲＣ４…第４プリチャージ系列信号、ＰＳ１…第１プリチャージスイッチ、ＰＳ２…第２プリチャージスイッチ、ＰＳ３…第３プリチャージスイッチ、ＰＳ４…第４プリチャージスイッチ、ＰＳＷ１…第１正プリチャージスイッチ、ＰＳＷ２…第２正プリチャージスイッチ、ＰＳＷ３…第３正プリチャージスイッチ、ＰＳＷ４…第４正プリチャージスイッチ、ＳＥＬ１…第１画像系列信号、ＳＥＬ２…第２画像系列信号、ＳＥＬ３…第３画像系列信号、ＳＥＬ４…第４画像系列信号、Ｓｊｋ＋ｐ…（ｊｋ＋ｐ）列目の信号線、ＳＷ１…第１スイッチ、ＳＷ２…第２スイッチ、ＳＷ３…第３スイッチ、ＳＷ４…第４スイッチ、ＶＰＲＣ＋…正プリチャージ信号、ＶＰＲＣ−…負プリチャージ信号、２０…電気光学装置、２１…画素、２２…走査線、２３…信号線、２４…画素トランジスター、２５…画素電極、２６…液晶、２７…共通電極、３０…制御装置、３２…表示用信号供給回路、３３…記憶回路、４２…表示領域、５０…駆動部、５１…駆動回路、５２…走査線駆動回路、５３…信号線駆動回路、２０１…第一パネル、２０２…第二パネル、２０３…第三パネル、５３１…プリチャージ回路、５３２…画像信号回路、１０００…投射型表示装置、１１００…照明光学系、１３００…投射光学系、１４００…投射面。
【図１】
2018106200.tif 000003
【図２】
2018106200.tif 000004
【図３】
2018106200.tif 000005
【図４】
2018106200.tif 000006
【図５】
2018106200.tif 000007
【図６】
2018106200.tif 000008
【図７】
2018106200.tif 000009
【図８】
2018106200.tif 000010
【図９】
2018106200.tif 000011
【図１０】
2018106200.tif 000012
【図１１】
2018106200.tif 000013
【図１２】
2018106200.tif 000014
【図１３】
2018106200.tif 000015
【図１４】
2018106200.tif 000016
【図１５】
2018106200.tif 000017
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
複数の走査線と、複数の信号線と、前記複数の走査線と前記複数の信号線との各交差に対応して配置された画素と、前記複数の走査線と前記複数の信号線とに駆動信号を供給する駆動部とを備えた電気光学装置であって、
前記複数の信号線は、ｋ個の信号線群に分類され（ｋは２以上の整数）、
前記駆動部は、
水平走査期間において、前記ｋ個の信号線群の一部にプリチャージ信号を供給した後に画像信号を供給し、前記ｋ個の信号線群の残りに前記プリチャージ信号を供給しないで前記画像信号を供給し、
前記ｋ個の信号線群のうちのひとつの群に前記画素信号を供給する際、他の群に対する前記プリチャージ信号の供給開始より遅く前記画像信号の供給を開始する事を特徴とする電気光学装置。
【請求項２】
請求項１に記載の電気光学装置であって、
前記駆動部は、前記信号線に前記プリチャージ信号を供給するプリチャージ回路と、前記信号線に前記画像信号を供給する画像信号回路とを有する事を特徴とする電気光学装置。
【請求項３】
請求項２に記載の電気光学装置であって、
前記画像信号回路はｋ本の画像系列線とｋ種類のスイッチとを含み、
前記プリチャージ回路は、ｋ本のプリチャージ系列線と、ｋ種類のプリチャージスイッチと、を有する事を特徴とする電気光学装置。
【請求項４】
請求項３に記載の電気光学装置であって、
前記プリチャージ回路は、ｋ本の正プリチャージ系列線と、ｋ種類の正プリチャージスイッチと、ｋ本の負プリチャージ系列線と、ｋ種類の負プリチャージスイッチと、を有する事を特徴とする電気光学装置。
【請求項５】
複数の走査線と、複数の信号線と、前記複数の走査線と前記複数の信号線との各交差に対応して配置された画素と、前記複数の走査線と前記複数の信号線とに駆動信号を供給する駆動部とを備えた電気光学装置であって、
前記複数の信号線は、ｋ個の信号線群に分類され（ｋは２以上の整数）、
前記駆動部は、
水平走査期間において、前記ｋ個の信号線群の一部にプリチャージ信号を供給した後に画像信号を供給し、前記ｋ個の信号線群の残りに前記プリチャージ信号を供給しないで前記画像信号を供給し、前記ｋ個の信号線群のうちのひとつの群に前記画像信号を供給する場合、他の群に対する前記プリチャージ信号の供給終了より遅く前記画像信号の供給を終了する事を特徴とする電気光学装置。
【請求項６】
請求項１乃至５のいずれか一項に記載の電気光学装置を備えた事を特徴とする電子機器。
【請求項７】
複数の走査線と、複数の信号線と、前記複数の走査線と前記複数の信号線との各交差に対応して配置された画素とを備えた電気光学装置の駆動方法であって、
水平走査期間において、
前記複数の信号線のうちの第１の信号線にプリチャージ信号を供給した後に画像信号を供給し、前記第１の信号線と異なる第２の信号線に前記プリチャージ信号を供給しないで前記画像信号を供給し、
前記第２の信号線への前記画像信号の供給は、前記第１の信号線への前記プリチャージ信号の供給開始より遅く開始される事を特徴とする電気光学装置の駆動方法。
【請求項８】
請求項７に記載の電位光学装置の駆動方法であって、
前記第２の信号線に続いて前記第３の信号線に前記画像信号を供給し、
前記第３の信号線への前記画像信号の供給は、前記第１の信号線への前記プリチャージ信号の供給終了より遅く開始される事を特徴とする電気光学装置の駆動方法。
【請求項９】
請求項７または８に記載の電気光学装置の駆動方法により駆動される事を特徴とする電気光学装置。
【請求項１０】
請求項９に記載の電気光学装置を備えた事を特徴とする電子機器。